(57)【要約】      （修正有）【課題】タッチ操作の検出位置における押力を適切に算出することができる検出装置、及びタッチ検出機能付き表示装置を提供する。【解決手段】検出装置は、送信電極ＴＸ１、ＴＸ２（第一電極）と、送信電極に重ならない位置に設けられた受信電極ＲＸ１−１〜ＲＸ１−３、ＲＸ２−１〜ＲＸ２−３（第２電極）と、第１電極及び第２電極と間隔を介して対向配置された浮遊電極５０ａ〜５０ｆ（第３電極）と、第１電極に駆動信号を印加し、第２電極に現れる出力信号を検出する検出部と、を備える。【選択図】図１１
2018022445.tif 000002
【特許請求の範囲】
【請求項１】
第１電極と、
前記第１電極に重ならない位置に設けられた第２電極と、
前記第１電極及び前記第２電極と間隔を介して対向配置された第３電極と、
前記第１電極に駆動信号を印加し、前記第２電極に現れる出力信号を検出する検出部と、
を備える
検出装置。
【請求項２】
前記第１電極及び前記第２電極は、所定領域内の第１平面上に一方向に延びて設けられ、
前記第３電極は、前記第１平面と平行な第２平面上に前記第１電極及び前記第２電極に交差して設けられている
請求項１に記載の検出装置。
【請求項３】
少なくとも前記第１電極あるいは前記第２電極の何れか一方を複数有する
請求項１又は請求項２に記載の検出装置。
【請求項４】
１の前記第１電極に対し、ｎ（ｎは自然数）の前記第２電極が並設されている
請求項３に記載の検出装置。
【請求項５】
前記第１電極と前記第３電極とで構成される第１容量素子と、前記第２電極と前記第３電極とで構成される第２容量素子とが直列接続されて合成容量素子が構成され、
前記第２電極は、１の前記第１電極と共に前記合成容量素子を構成する
請求項４に記載の検出装置。
【請求項６】
前記第１電極と前記第３電極とで構成される第１容量素子と、前記第２電極と前記第３電極とで構成される第２容量素子とが直列接続されて合成容量素子が構成され、
前記第２電極は、複数の前記第１電極と共に前記合成容量素子を構成する
請求項４に記載の検出装置。
【請求項７】
一方向に延在する複数の電極パターンから構成され、表示領域内においてマトリックス状に複数配設された画素電極に共通の電位を与える駆動電極、及び、前記駆動電極の電極パターンの延在方向と交差する方向に延びる電極パターンから構成され、表示領域内におけるタッチ位置を検出する検出電極を有し、前記駆動電極と前記検出電極とを用いて前記表示領域内におけるタッチ操作の位置を検出するタッチ検出機能付き表示部を備えるタッチ検出機能付き表示装置であって、
請求項１から請求項６の何れか一項に記載の検出装置を備え、
前記駆動電極あるいは前記検出電極の何れか一方は、前記第１電極及び前記第２電極として機能し、
前記検出装置は、
前記出力信号の変化量に応じて、前記タッチ操作の検出位置において前記タッチ検出機能付き表示部に加えられた押力を算出する
タッチ検出機能付き表示装置。
【請求項８】
前記タッチ検出機能付き表示部は、
画像表示面側から順に、前記検出電極、前記駆動電極、前記第３電極の順に設けられ、
前記駆動電極は、前記第１電極及び前記第２電極として機能し、
前記第３電極は、
前記タッチ検出機能付き表示部との間に間隙を介して配置されるバックライト装置の画像表示面側とは反対側の面に設けられている
請求項７に記載のタッチ検出機能付き表示装置。
【請求項９】
前記タッチ検出機能付き表示部は、
画像表示面側から順に、前記検出電極、前記第３電極、前記駆動電極の順に設けられ、
前記駆動電極は、前記第１電極及び前記第２電極として機能し、
前記第３電極は、
前記駆動電極との間に液晶層を介して設けられている
請求項７に記載のタッチ検出機能付き表示装置。
【請求項１０】
前記第３電極は、
画像表示面に対して垂直な方向に前記検出電極と重なって設けられている
請求項９に記載のタッチ検出機能付き表示装置。
【請求項１１】
前記第３電極は、
前記画素電極毎に設けられた各画素領域を隔てる遮光領域に沿って設けられている
請求項９又は請求項１０に記載のタッチ検出機能付き表示装置。
【請求項１２】
前記第３電極は、
メッシュ状の金属配線で構成されている
請求項１１に記載のタッチ検出機能付き表示装置。
【請求項１３】
前記第３電極は、
前記画素電極毎に設けられた各画素領域を隔てる遮光領域を構成する導電性の遮光膜である
請求項９又は請求項１０に記載のタッチ検出機能付き表示装置。
【請求項１４】
前記タッチ検出機能付き表示部は、
画像表示面側から順に、前記第３電極、前記検出電極、前記駆動電極の順に設けられ、
前記検出電極は、前記第１電極及び前記第２電極として機能し、
前記第３電極は、
前記検出電極との間に間隙を介して設けられている
請求項７に記載のタッチ検出機能付き表示装置。
【請求項１５】
前記間隙は、空気層である
請求項１４に記載のタッチ検出機能付き表示装置。
【請求項１６】
前記間隙は、透光性を有する絶縁性の光学用透明粘着層である
請求項１４に記載のタッチ検出機能付き表示装置。
【請求項１７】
前記第３電極は、
画像表示面を覆うカバーガラスに設けられている
請求項１４から請求項１６の何れか一項に記載のタッチ検出機能付き表示装置。
【請求項１８】
前記第３電極は、
透光性を有する導電性材料で構成されている
請求項１７に記載のタッチ検出機能付き表示装置。
【請求項１９】
前記表示領域内の前記第３電極が設けられていない領域に透光性を有する導電性材料で構成されたダミー電極が設けられている
請求項１７に記載のタッチ検出機能付き表示装置。
【発明の詳細な説明】
【技術分野】
【０００１】
本発明は、検出装置、及びタッチ検出機能付き表示装置に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着又は一体化されて、タッチ検出機能付き表示装置として用いられている。このようなタッチ検出機能付き表示装置として、静電容量式のタッチセンサを備えたものが知られている。
【０００３】
また、静電容量式のタッチセンサを備えたタッチ検出機能付き表示装置の付加機能として、例えば、指やタッチペンによってタッチパネルへのタッチ操作が行われた際の押圧力を電気信号に変換して検出する機能が付加された構成が開示されている（例えば、特許文献１）。
【先行技術文献】
【特許文献】
【０００４】
【特許文献１】特開２０１２−１９５０１０号公報
【発明の概要】
【発明が解決しようとする課題】
【０００５】
静電容量式のタッチセンサとしては、送信電極と受信電極とを直交配置して、送信電極と受信電極との相互静電容量方式によってタッチ位置検出処理を行う場合と、直交配置した各電極の双方の自己静電容量方式によってタッチ位置検出処理を行う場合とがある。また、相互静電容量方式と自己静電容量方式との双方を用いて、タッチ位置検出処理を行い、タッチ操作位置の検出精度を向上することも可能である。このような構成において、タッチ位置検出機能に加えて、タッチ操作が行われた際の押力を求めようとすると、上述した相互静電容量方式あるいは自己静電容量方式のタッチ位置検出手法以外の手法を用いる必要がある。タッチパネルへの押力を求める手法として、例えば、タッチ位置検出処理に用いられる各電極の何れか一方を用いることが考えられるが、この場合には、電極の配列方向における押力を求めることは可能であるが、電極の延在方向における押力を求めることができない。このため、タッチ位置検出処理によって検出されたタッチ操作の検出位置における押力を適切に算出することができない。
【０００６】
本発明は、タッチ操作の検出位置における押力を適切に算出することができる検出装置、及びタッチ検出機能付き表示装置を提供することを目的とする。
【課題を解決するための手段】
【０００７】
本発明の一態様に係る検出装置は、第１電極と、前記第１電極に重ならない位置に設けられた第２電極と、前記第１電極及び前記第２電極と間隔を介して対向配置された第３電極と、前記第１電極に駆動信号を印加し、前記第２電極に現れる出力信号を検出する検出部と、を備える。
【図面の簡単な説明】
【０００８】
【図１】図１は、実施形態に係るタッチ検出機能付き表示装置の一構成例を示すブロック図である。
【図２】図２は、駆動電極と検出電極との位置関係を斜視的に表すものである。
【図３】図３は、押力算出手法の基本原理を説明するための、タッチパネルに押力が加えられていない状態を表す説明図である。
【図４】図４は、図３に示すタッチパネルに押力が加えられていない状態の等価回路の例を示す説明図である。
【図５】図５は、図３に示す直列回路の等価回路を表す説明図である。
【図６】図６は、押力算出手法の基本原理を説明するための、タッチパネルに押力が加えられている状態を表す説明図である。
【図７】図７は、実施形態１に係るタッチ検出機能付き表示装置の概略断面構造を表す断面図である。
【図８】図８は、実施形態１に係るタッチ検出機能付き表示装置の画素配列を表す回路図である。
【図９】図９は、実施形態１に係るタッチ検出機能付き表示装置の駆動電極と検出電極との配置例をタッチパネル表面に垂直な方向から見た平面図である。
【図１０】図１０は、実施形態１に係るタッチ検出機能付き表示装置の押力算出処理時における第１電極及び第２電極と検出部との電気的な接続状態の一例を示す図である。
【図１１】図１１は、実施形態１に係るタッチ検出機能付き表示装置における各電極の配置パターンの一例を示す図である。
【図１２】図１２は、図１１に示す各電極の配置パターンにおける検出値の一例を示す図である。
【図１３】図１３は、実施形態１の変形例１に係るタッチ検出機能付き表示装置の押力算出処理時における第１電極及び第２電極と検出部との電気的な接続状態の一例を示す図である。
【図１４】図１４は、実施形態１の変形例１に係るタッチ検出機能付き表示装置における各電極の配置パターンの一例を示す図である。
【図１５】図１５は、図１４に示す各電極の配置パターンにおける検出値の一例を示す図である。
【図１６】図１６は、実施形態１の変形例２に係るタッチ検出機能付き表示装置の押力算出処理時における第１電極及び第２電極と検出部との電気的な接続状態の一例を示す図である。
【図１７】図１７は、実施形態１の変形例２に係るタッチ検出機能付き表示装置における各電極の配置パターンの一例を示す図である。
【図１８】図１８は、図１６に示す各電極の配置パターンにおける検出値の一例を示す図である。
【図１９】図１９は、実施形態１の変形例３に係るタッチ検出機能付き表示装置の押力算出処理時における第１電極及び第２電極と検出部との電気的な接続状態の一例を示す図である。
【図２０】図２０は、実施形態１の変形例３に係るタッチ検出機能付き表示装置における各電極の配置パターンの一例を示す図である。
【図２１】図２１は、図２０に示す各電極の配置パターンにおける検出値の一例を示す図である。
【図２２】図２２は、実施形態２に係るタッチ検出機能付き表示装置の概略断面構造を表す断面図である。
【図２３】図２３は、実施形態２に係るタッチ検出機能付き表示装置の駆動電極と検出電極との配置例をタッチパネル表面に垂直な方向から見た平面図である。
【図２４】図２４は、実施形態２に係るタッチ検出機能付き表示装置における各電極の配置パターンの一例を示す図である。
【図２５】図２５は、実施形態３に係るタッチ検出機能付き表示装置の概略断面構造を表す断面図である。
【図２６】図２６は、実施形態３に係るタッチ検出機能付き表示装置の押力算出処理時における第１電極及び第２電極と検出部との電気的な接続状態の一例を示す図である。
【図２７】図２７は、実施形態３に係るタッチ検出機能付き表示装置における各電極の配置パターンの一例を示す図である。
【発明を実施するための形態】
【０００９】
以下、発明を実施するための形態について、図面を参照して詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態）
図１は、実施形態に係るタッチ検出機能付き表示装置の一構成例を示すブロック図である。タッチ検出機能付き表示装置１は、タッチ検出機能付き表示部１０と、制御部１１と、ゲートドライバ１２と、ソースドライバ１３と、駆動電極ドライバ１４と、駆動信号スイッチ１４０と、検出部４０とを備えている。タッチ検出機能付き表示装置１は、タッチ検出機能付き表示部１０がタッチ検出機能を内蔵した表示デバイスである。本実施形態において、タッチ検出機能付き表示部１０は、表示パネル２０と、指やスタイラスペン等の物体によるタッチ操作や押力（ｆｏｒｃｅ）が加えられるタッチパネル３０とを一体化した装置である。
【００１１】
また、本実施形態に係るタッチ検出機能付き表示装置１は、タッチ検出機能付き表示部１０の裏面から光を照射するバックライト（図示せず）等を備えている。
【００１２】
タッチ検出機能付き表示装置１は、後述する検出電極ＴＤＬと後述する駆動電極ＣＯＭＬとの間の相互静電容量方式と、検出電極ＴＤＬを用いた自己静電容量方式及び駆動電極ＣＯＭＬを用いた自己静電容量方式の双方を併用して、タッチ操作や当該タッチ操作が行われた座標の検出を行う。このタッチ位置検出手法の詳細については後述する。なお、タッチ位置検出処理は、相互静電容量方式のみを用いる構成であっても良いし、相互静電容量方式と自己静電容量方式とを併用する構成であっても良い。
【００１３】
なお、本実施形態では、上述した検出電極ＴＤＬと駆動電極ＣＯＭＬとの間の相互静電容量方式を用いたタッチ位置検出処理では、検出電極ＴＤＬは、タッチ操作及び当該タッチ操作が行われた座標の検出に用いられ、駆動電極ＣＯＭＬは、タッチ位置検出処理においては駆動電極として用いられる。また、駆動電極ＣＯＭＬは、画像表示処理においては表示パネル２０の複数の画素電極に共通の電位を与える共通電極として用いられる。また、検出電極ＴＤＬを用いた自己静電容量方式及び駆動電極ＣＯＭＬを用いた自己静電容量方式の双方を併用してタッチ操作が行われた座標の検出を行う場合には、検出電極ＴＤＬを駆動して、この検出電極ＴＤＬの自己容量変化の度合いを検出することによって検出電極ＴＤＬの配列方向におけるタッチ検出位置の座標を求めると共に、駆動電極ＣＯＭＬを駆動して、この駆動電極ＣＯＭＬの自己容量変化の度合いを検出することによって駆動電極ＣＯＭＬの配列方向におけるタッチ検出位置の座標を求めるものとする。
【００１４】
また、タッチ検出機能付き表示装置１は、検出電極ＴＤＬあるいは駆動電極ＣＯＭＬのいずれか一方を用いて、タッチ操作の際の表示領域１００への押力を算出する。なお、本実施形態においては、タッチ操作が行われた状態における、タッチ操作が行われていない状態を基準とした相対的なレベル差を算出する。以下、この押力算出手法の詳細については後述する。
【００１５】
本実施形態に係るタッチ検出機能付き表示装置１は、映像１フレーム期間内において、表示パネル２０に画像表示処理を行う表示期間と、タッチ位置検出処理を行うタッチ位置検出期間と、押力算出処理を行う押力算出期間とを切り替えて、画像表示処理とタッチ位置検出処理と押力算出処理とを実現する。
【００１６】
ゲートドライバ１２は、制御部１１から供給される制御信号に基づいて、タッチ検出機能付き表示部１０の表示駆動の対象となる１水平ラインを順次選択する機能を有する構成部である。
【００１７】
ソースドライバ１３は、制御部１１から供給される制御信号に基づいて、タッチ検出機能付き表示部１０の、後述する各副画素ＳＰｉｘに画素信号Ｖｐｉｘを供給する構成部である。
【００１８】
駆動電極ドライバ１４は、制御部１１から駆動信号スイッチ１４０を介して供給される制御信号に基づいて、タッチ検出機能付き表示部１０の、後述する駆動電極ＣＯＭＬに駆動信号を供給する構成部である。
【００１９】
表示パネル２０は、後述するように、ゲートドライバ１２から供給される走査信号Ｖｓｃａｎに従って、１水平ラインずつ順次走査して表示を行う。
【００２０】
制御部１１は、外部より供給された映像信号Ｖｄｉｓｐに基づいて、ゲートドライバ１２、ソースドライバ１３、駆動電極ドライバ１４、及び検出部４０に対してそれぞれ制御信号を供給し、これらが互いに同期して動作するように制御する構成部である。
【００２１】
タッチパネル３０は、後述する静電容量型のタッチ位置検出手法及び押力算出手法の基本原理に基づいて動作する。
【００２２】
検出電極ＴＤＬと駆動電極ＣＯＭＬとの間の相互静電容量方式によってタッチ位置検出処理を行う場合（以下、「第１のタッチ位置検出処理」ともいう）、タッチパネル３０は、駆動電極ドライバ１４から駆動信号スイッチ１４０を介して第１の駆動信号Ｖｄ１が入力され、第１検出部４２−１に第１の検出信号Ｖｄｅｔ１を出力する。
【００２３】
検出電極ＴＤＬを用いた自己静電容量方式によってタッチ位置検出処理を行う場合（以下、「第２のタッチ位置検出処理」ともいう）、タッチパネル３０は、検出部４０の第１駆動ドライバ４１−１から第２の駆動信号Ｖｄ２が入力され、第１検出部４２−１に第２の検出信号Ｖｄｅｔ２を出力する。
【００２４】
駆動電極ＣＯＭＬを用いた自己静電容量方式によってタッチ位置検出処理を行う場合（以下、「第３のタッチ位置検出処理」ともいう）、タッチパネル３０は、検出部４０の第２駆動ドライバ４１−２から駆動信号スイッチ１４０を介して第３の駆動信号Ｖｄ３が入力され、第２検出部４２−２に第３の検出信号Ｖｄｅｔ３を出力する。
【００２５】
検出電極ＴＤＬを用いて表示領域１００への押力を求める場合（以下、「第１の押力算出処理」ともいう）、タッチパネル３０は、検出部４０の第１駆動ドライバ４１−１から第４の駆動信号Ｖｄ４が入力され、第１検出部４２−１に第４の検出信号Ｖｄｅｔ４を出力する。
【００２６】
駆動電極ＣＯＭＬを用いて表示領域１００への押力を求める場合（以下、「第２の押力算出処理」ともいう）、タッチパネル３０は、検出部４０の第２駆動ドライバ４１−２から駆動信号スイッチ１４０を介して第５の駆動信号Ｖｄ５が入力され、第２検出部４２−２に第５の検出信号Ｖｄｅｔ５を出力する。
【００２７】
検出部４０は、制御部１１から供給される制御信号と、タッチパネル３０から供給された第１の検出信号Ｖｄｅｔ１、第２の検出信号Ｖｄｅｔ２、あるいは第３の検出信号Ｖｄｅｔ３に基づいて第１のタッチ位置検出処理、第２のタッチ位置検出処理あるいは第３のタッチ位置検出処理を行い、制御部１１から供給される制御信号と、タッチパネル３０から供給された第４の検出信号Ｖｄｅｔ４あるいは第５の検出信号Ｖｄｅｔ５に基づいて第１の押力算出処理あるいは第２の押力算出処理を行う構成部である。より具体的には、検出部４０は、タッチパネル３０から供給された第１の検出信号Ｖｄｅｔ１に基づいて、第１のタッチ位置検出処理を行う。また、検出部４０は、タッチパネル３０から供給された第２の検出信号Ｖｄｅｔ２に基づいて、第２のタッチ位置検出処理を行う。また、検出部４０は、タッチパネル３０から供給された第３の検出信号Ｖｄｅｔ３に基づいて、第３のタッチ位置検出処理を行う。また、検出部４０は、タッチパネル３０から供給された第４の検出信号Ｖｄｅｔ４に基づいて、第１の押力算出処理を行う。また、検出部４０は、タッチパネル３０から供給された第５の検出信号Ｖｄｅｔ５に基づいて、第２の押力算出処理を行う。
【００２８】
検出部４０は、第１駆動ドライバ４１−１と、第１検出部４２−１と、第１Ａ／Ｄ変換部４３−１と、第２駆動ドライバ４１−２と、第２検出部４２−２と、第２Ａ／Ｄ変換部４３−２と、信号処理部４４と、座標抽出部４５と、検出タイミング制御部４６と、を備えている。
【００２９】
制御部１１は、外部から供給された映像信号Ｖｄｉｓｐに基づいて、ゲートドライバ１２、ソースドライバ１３、駆動電極ドライバ１４、および検出部４０の検出タイミング制御部４６に対してそれぞれ制御信号を供給し、これらが互いに同期して動作するように制御する構成部である。
【００３０】
この制御部１１は、基準クロックを生成するクロック生成部（図示せず）を有している。制御部１１は、クロック生成部により生成される基準クロックに基づいて、ゲートドライバ１２、ソースドライバ１３、駆動電極ドライバ１４、および検出部４０の検出タイミング制御部４６に供給する各制御信号を生成するようになっている。
【００３１】
第１駆動ドライバ４１−１は、図１に示すタッチパネル３０の後述する複数の検出電極ＴＤＬに第２の駆動信号Ｖｄ２あるいは第４の駆動信号Ｖｄ４を供給する。これら第２の駆動信号Ｖｄ２あるいは第４の駆動信号Ｖｄ４に従って、各検出電極ＴＤＬに電荷が供給される。
【００３２】
第２駆動ドライバ４１−２は、図１に示すタッチパネル３０の後述する複数の駆動電極ＣＯＭＬに第３の駆動信号Ｖｄ３あるいは第５の駆動信号Ｖｄ５を供給する。これら第３の駆動信号Ｖｄ３あるいは第５の駆動信号Ｖｄ５に従って、各駆動電極ＣＯＭＬに電荷が供給される。
【００３３】
第１検出部４２−１は、図１に示すタッチパネル３０の後述する複数の検出電極ＴＤＬから供給される第１の検出信号Ｖｄｅｔ１、第２の検出信号Ｖｄｅｔ２、及び第４の検出信号Ｖｄｅｔ４を増幅する。なお、第１検出部４２−１は、第１の検出信号Ｖｄｅｔ１、第２の検出信号Ｖｄｅｔ２、及び第４の検出信号に含まれる高い周波数成分（ノイズ成分）を除去して出力する低域通過アナログフィルタであるアナログＬＰＦ（Ｌｏｗ  Ｐａｓｓ  Ｆｉｌｔｅｒ）を備えていてもよい。
【００３４】
第１Ａ／Ｄ変換部４３−１は、第１検出部４２−１から出力されるアナログ信号をＡ／Ｄ変換して、信号処理部４４に出力する。
【００３５】
第２検出部４２−２は、図１に示すタッチパネル３０の後述する複数の駆動電極ＣＯＭＬから供給される第３の検出信号Ｖｄｅｔ３及び第５の検出信号Ｖｄｅｔ５を増幅する。なお、第２検出部４２−２は、第３の検出信号Ｖｄｅｔ３及び第５の検出信号Ｖｄｅｔ５に含まれる高い周波数成分（ノイズ成分）を除去して出力する低域通過アナログフィルタであるアナログＬＰＦ（Ｌｏｗ  Ｐａｓｓ  Ｆｉｌｔｅｒ）を備えていてもよい。
【００３６】
第２Ａ／Ｄ変換部４３−２は、第２検出部４２−２から出力されるアナログ信号をＡ／Ｄ変換して、信号処理部４４に出力する。
【００３７】
信号処理部４４は、第１Ａ／Ｄ変換部４３−１及び第２Ａ／Ｄ変換部４３−２の出力信号に基づいて、上述した第１のタッチ位置検出処理、第２のタッチ位置検出処理、第３のタッチ位置検出処理、第１の押力算出処理、あるいは第２の押力算出処理を行う構成部である。
【００３８】
座標抽出部４５は、信号処理部４４の処理結果に基づき、タッチパネル３０上においてタッチ操作が行われた座標及びその座標における押力を抽出する構成部である。
【００３９】
図２は、駆動電極と検出電極との位置関係を斜視的に表すものである。駆動電極ＣＯＭＬは、一方向に延在する複数のストライプ状の電極パターンから構成されている。検出電極ＴＤＬと駆動電極ＣＯＭＬとの間の相互静電容量方式により第１のタッチ位置検出処理を行う際は、各電極パターンには、駆動電極ドライバ１４から駆動信号スイッチ１４０を介して第１の駆動信号Ｖｄ１が順次供給され、時分割的に線順次走査駆動が行われるようになっている。検出電極ＴＤＬは、駆動電極ＣＯＭＬの電極パターンの延在方向と交差する方向に延びるストライプ状の電極パターンから構成されている。そして、検出電極ＴＤＬは、駆動電極ＣＯＭＬが設けられる平面に対する垂直な方向において、駆動電極ＣＯＭＬと対向して設けられている。駆動電極ＣＯＭＬと検出電極ＴＤＬの互いに交差した電極パターンは、その交差部分に静電容量を生じさせている。
【００４０】
上述のとおり、タッチパネル３０は、静電容量型のタッチ位置検出手法及び押力算出手法の基本原理に基づいて動作する。以下、図３から図６を参照して、押力算出手法の基本原理について説明する。なお、第１のタッチ位置検出処理、第２のタッチ位置検出処理、及び第３のタッチ検出処理を行う際の静電容量型のタッチ位置検出手法の基本原理については、ここでは詳細な説明を省略するが、第１のタッチ位置検出処理において、検出部４０は、駆動電極ＣＯＭＬと検出電極ＴＤＬとの間の相互静電容量方式により第１のタッチ位置検出処理を行うようになっており、また、第２のタッチ位置検出処理において、検出部４０は、検出電極ＴＤＬの自己静電容量方式により第２のタッチ位置検出処理を行うようになっており、第３のタッチ位置検出処理において、検出部４０は、検出電極ＴＤＬの自己静電容量方式により第２のタッチ位置検出処理を行うようになっている。
【００４１】
図３は、押力算出手法の基本原理を説明するための、タッチパネルに押力が加えられていない状態を表す説明図である。図４は、図３に示すタッチパネルに押力が加えられていない状態の等価回路の例を示す説明図である。図５は、図３に示す直列回路の等価回路を表す説明図である。図６は、押力算出手法の基本原理を説明するための、タッチパネルに押力が加えられている状態を表す説明図である。
【００４２】
例えば、図３に示すように、第１電極Ｅ１と第２電極Ｅ２とが同一平面上に設けられ、第３電極（浮遊電極）Ｅ３が第１電極Ｅ１及び第２電極Ｅ２に跨り間隔ｄを介して対向配置されている。第１容量素子Ｃ１１は、間隔ｄを挟んで互いに対向配置された第１電極Ｅ１と第３電極Ｅ３との間に構成され、第２容量素子Ｃ１２は、間隔ｄを挟んで互いに対向配置された第２電極Ｅ２と第３電極Ｅ３との間に構成されている。
【００４３】
図４に示すように、第１容量素子Ｃ１１は、その一端が交流信号源（駆動信号源）Ｓに接続され、他端は第２容量素子Ｃ１２の一端に接続されている。第２容量素子Ｃ１２の他端は、電圧検出器ＤＥＴに接続されている。電圧検出器ＤＥＴは、例えば図１に示す第１検出部４２−１あるいは第２検出部４２−２に含まれる積分回路である。
【００４４】
図３に示す第１容量素子Ｃ１１と第２容量素子Ｃ１２とは、交流信号源（駆動信号源）Ｓと電圧検出器ＤＥＴとの間に直列に接続されて合成容量素子を構成している。この合成容量素子は、図５に示すように、第１電極Ｅ１と第２電極Ｅ２との間に設けられた容量素子Ｃ１と見做すことができる。
【００４５】
図６に示すように、第１電極Ｅ１及び第２電極Ｅ２と第３電極Ｅ３との間の間隔ｄが変化すると、合成容量素子Ｃ１の静電容量が変化し、電圧検出器ＤＥＴによって得られる波形Ｖ0と波形Ｖ1との電圧差分が生じる。この波形Ｖ0と波形Ｖ1との電圧差分の絶対値｜ΔＶ｜は、表示領域１００への押力に応じて変化することになる。すなわち、波形Ｖ0と波形Ｖ1との電圧差分の絶対値｜ΔＶ｜、つまり合成容量素子Ｃ１の静電容量の変化に伴う出力信号の変化量を検出することで、第１電極Ｅ１及び第２電極Ｅ２と第３電極Ｅ３との間の間隔ｄの変化レベルを求めることができる。以下、信号処理部４４によって求められる波形Ｖ0と波形Ｖ１との差分の絶対値｜ΔＶ｜を、単に検出部４０における「検出値｜ΔＶ｜」ともいう。
【００４６】
（実施形態１）
次に、実施形態１に係るタッチ検出機能付き表示装置１の構成例を詳細に説明する。図７は、実施形態１に係るタッチ検出機能付き表示装置の概略断面構造を表す断面図である。図８は、実施形態１に係るタッチ検出機能付き表示装置の画素配列を表す回路図である。図９は、実施形態１に係るタッチ検出機能付き表示装置の駆動電極と検出電極との配置例をタッチパネル表面に垂直な方向から見た平面図である。なお、図９に示す例では、８本の検出電極ＴＤＬが８本の駆動電極ＣＯＭＬに直交した例を示しているが、検出電極ＴＤＬの数及び駆動電極ＣＯＭＬの数はこれに限るものではない。
【００４７】
図７に示すように、実施形態１に係るタッチ検出機能付き表示装置１は、画素基板２と、この画素基板２の表面に垂直な方向に対向して配置された対向基板３と、画素基板２と対向基板３との間に挿設された表示機能層としての液晶層６と、バックライト装置８とを備える。なお、実施形態１において、タッチ検出機能付き表示部１０は、バックライト装置８を除く画素基板２、対向基板３、液晶層６を含む各構成部で構成されているものとして説明する。
【００４８】
図７及び図９に示すように、タッチ検出機能付き表示装置１は、画像を表示させるための表示領域１００を有する。表示領域１００は、画像が表示される領域であって、対向する２つの長辺と短辺とを有する矩形状の領域である。以下、タッチ検出機能付き表示部１０における対向基板３側の面を「画像表示面」とも称する。
【００４９】
画素基板２は、回路基板としての第１基板２１と、画素電極２２と、駆動電極ＣＯＭＬと、絶縁層２４と、を含む。第１基板２１には、スイッチング素子であるＴＦＴ（Ｔｈｉｎ  Ｆｉｌｍ  Ｔｒａｎｓｉｓｔｏｒ）が画素電極２２に対応して配置される。画素電極２２は、第１基板２１の上方、すなわちタッチ検出機能付き表示部１０の画像表示面側に設けられ、平面視でマトリックス状に複数配設される。駆動電極ＣＯＭＬは、第１基板２１と画素電極２２との間に複数設けられる。絶縁層２４は、画素電極２２と駆動電極ＣＯＭＬとを絶縁する。第１基板２１の下側には、接着層６６Ｂを介して偏光板６５Ｂが設けられている。
【００５０】
第１基板２１には、表示制御用ＩＣ１９が設けられている。また、第１基板２１の端部にフレキシブル基板７２が接続されている。表示制御用ＩＣ１９は、第１基板２１にＣＯＧ（Ｃｈｉｐ  Ｏｎ  Ｇｌａｓｓ）実装されたチップであり、上述した制御部１１を内蔵したものである。表示制御用ＩＣ１９は、外部のホストＩＣ（図示しない）から供給された映像信号Ｖｄｉｓｐ（図１参照）に基づいて、後述する走査信号線ＧＣＬ及び画素信号線ＳＧＬ等に制御信号を出力する。
【００５１】
対向基板３は、第２基板３１と、第２基板３１の一方の面に形成されたカラーフィルタ３２とを含む。第２基板３１の他方の面には、検出電極ＴＤＬが設けられている。検出電極ＴＤＬの上には保護層３９が設けられている。さらに、検出電極ＴＤＬの上方には、接着層６６Ａを介して偏光板６５Ａが設けられている。また、第２基板３１にはフレキシブル基板７１が接続されている。フレキシブル基板７１には、タッチ検出用ＩＣ１８が搭載されている。タッチ検出用ＩＣ１８は、図１に示す検出部４０が実装されている。なお、カラーフィルタ３２は第１基板２１上に配置されてもよい。また、第１基板２１と第２基板３１は、例えば、ガラス基板である。
【００５２】
第１基板２１と第２基板３１とは、シール６１を介して所定の間隔を設けて対向配置される。第１基板２１と第２基板３１との間の空間に液晶層６が設けられる。液晶層６は、電界の状態に応じてそこを通過する光を変調するものであり、例えば、ＦＦＳ（フリンジフィールドスイッチング）を含むＩＰＳ（インプレーンスイッチング）等の横電界モードの液晶が用いられる。なお、図７に示す液晶層６と画素基板２との間、及び液晶層６と対向基板３との間には、それぞれ配向膜が配設される。
【００５３】
ＴＦＴ基板２１には、図８に示す画素Ｐｉｘを構成する各副画素ＳＰｉｘの薄膜トランジスタ（ＴＦＴ；Ｔｈｉｎ  Ｆｉｌｍ  Ｔｒａｎｓｉｓｔｏｒ）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画素信号Ｖｐｉｘを供給する。各画素電極２２は、それぞれ画素領域３３Ｒ，３３Ｇ，３３Ｂが設けられており、表示領域１００には、画素信号線ＳＧＬや走査信号線ＧＣＬ等の遮光性を有する配線パターンと重なり、それぞれの画素領域３３（３３Ｒ，３３Ｇ，３３Ｂ）を隔てる遮光領域３４が設けられている。遮光領域３４は、例えばカラーフィルタ３２に設けられた遮光膜（ブラックマトリックス等）によって構成される。
【００５４】
図８に示す表示パネル２０は、マトリックス状に配列した複数の副画素ＳＰｉｘを有している。副画素ＳＰｉｘは、ＴＦＴ素子Ｔｒ及び液晶容量ＬＣを備えている。ＴＦＴ素子Ｔｒは、薄膜トランジスタにより構成されるものであり、この例では、ｎチャネルのＭＯＳ（Ｍｅｔａｌ  Ｏｘｉｄｅ  Ｓｅｍｉｃｏｎｄｕｃｔｏｒ）型のＴＦＴで構成されている。ＴＦＴ素子Ｔｒのソースは画素信号線ＳＧＬに接続され、ゲートは走査信号線ＧＣＬに接続され、ドレインは液晶容量ＬＣの一端に接続されている。液晶容量ＬＣは、一端がＴＦＴ素子Ｔｒのドレインに接続され、他端が駆動電極ＣＯＭＬに接続されている。
【００５５】
副画素ＳＰｉｘは、走査信号線ＧＣＬにより、表示パネル２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、表示パネル２０の同じ列に属する他の副画素ＳＰｉｘと互いに接続されている。画素信号線ＳＧＬは、ソース信号スイッチ１３０を介してソースドライバ１３と接続され、ソースドライバ１３より画素信号Ｖｐｉｘが供給される。さらに、副画素ＳＰｉｘは、駆動電極ＣＯＭＬにより、表示パネル２０の同じ列に属する他の副画素ＳＰｉｘと互いに接続されている。駆動電極ＣＯＭＬは、駆動信号スイッチ１４０を介して駆動電極ドライバ１４と接続され、駆動電極ドライバ１４より駆動信号Ｖｃｏｍが供給される。つまり、この例では、同じ１列に属する複数の副画素ＳＰｉｘが１本の駆動電極ＣＯＭＬを共有するようになっている。
【００５６】
図１に示すゲートドライバ１２は、走査信号Ｖｓｃａｎを、図８に示す走査信号線ＧＣＬを介して、副画素ＳＰｉｘのＴＦＴ素子Ｔｒのゲートに印加することにより、表示パネル２０にマトリックス状に形成されている副画素ＳＰｉｘのうちの１行（１水平ライン）を表示駆動の対象として順次選択する。図１に示すソースドライバ１３は、画素信号Ｖｐｉｘを、図８に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。
【００５７】
図７に示すように、バックライト装置８は、画素基板２の下方、すなわちタッチ検出機能付き表示部１０の画像表示面側とは反対側の面に配置されている。バックライト装置８は、バックライト８１と、反射フィルム８２と、光源（例えば、ＬＥＤ）８３とを含む。バックライト装置８の一方の面は、間隙８０を介して画素基板２に対向している。バックライト装置８の他方の面には、浮遊電極５０が設けられている。この浮遊電極５０は、図３及び図６における第３電極Ｅ３に相当するものである。バックライト装置８は、画素基板２とケース９０とで覆われ、光源８３から発する光が画素基板２側に直接漏れないように、スペーサ６７が配置されている。
【００５８】
複数の駆動電極ＣＯＭＬは、第１基板２１の表示領域１００に設けられている。駆動電極ＣＯＭＬは、表示領域１００の長辺に沿った方向に延在しており、表示領域１００の短辺に沿った方向に、複数配列されている。駆動電極ＣＯＭＬは、例えば、ＩＴＯ（Ｉｎｄｉｕｍ  Ｔｉｎ  Ｏｘｉｄｅ）等の透光性を有する導電性材料が用いられる。
【００５９】
複数の検出電極ＴＤＬは、第２基板３１の表示領域１００に設けられている。検出電極ＴＤＬは、表示領域１００の短辺に沿った方向に延在し、表示領域１００の長辺に沿った方向に複数配列される。
【００６０】
なお、実施形態１では、検出部４０がフレキシブル基板７１に搭載されたタッチ検出用ＩＣ１８に実装されているものとして説明したが、検出部４０の一部の機能は、他のＭＰＵの機能として設けられてもよい。具体的には、タッチ検出用ＩＣ１８の機能として設けられ得るＡ／Ｄ変換、ノイズ除去等の各種機能のうち一部の機能（例えば、ノイズ除去等）は、タッチ検出用ＩＣ１８と別個に設けられたＭＰＵ（Ｍｉｃｒｏ−Ｐｒｏｃｅｓｓｉｎｇ  Ｕｎｉｔ）等の回路に実装されてもよい。
【００６１】
上述したように、実施形態１では、タッチ検出機能付き表示部１０の画像表示面側から順に、検出電極ＴＤＬ、駆動電極ＣＯＭＬ、浮遊電極５０（第３電極Ｅ３）の順に設けられている。また、タッチ検出機能付き表示部１０との間に間隙８０を介してバックライト装置８が設けられており、そのバックライト装置８の画像表示面側とは反対側の面に、浮遊電極５０が設けられている。
【００６２】
実施形態１では、上述した構成において、駆動電極ＣＯＭＬを図３及び図６に示す第１電極Ｅ１及び第２電極Ｅ２として機能させ、上述した第２の押力算出処理を行う。また図７に示す実施形態１の構成では、上述したように、浮遊電極５０が図３及び図６に示す第３電極Ｅ３に相当する。すなわち、駆動電極ＣＯＭＬによる第１電極Ｅ１及び第２電極Ｅ２、浮遊電極５０による第３電極Ｅ３、及び、検出部４０における第２駆動ドライバ４１−２と第２検出部４２−２とを含み、実施形態１に係る検出装置を構成している。
【００６３】
図７に示す実施形態１の構成では、画素基板２とバックライト装置８との間に間隙８０が形成され、この状態でタッチ検出機能付き表示部１０の周縁部がケース９０に支持されているため、当該タッチ検出機能付き表示部１０の表示領域１００への押力によってタッチ検出機能付き表示部１０が撓み、駆動電極ＣＯＭＬ（第１電極Ｅ１及び第２電極Ｅ２）と浮遊電極５０（第３電極Ｅ３）との間の距離（間隔）ｄが変化する。この駆動電極ＣＯＭＬ（第１電極Ｅ１及び第２電極Ｅ２）と浮遊電極５０（第３電極Ｅ３）との間の距離（間隔）ｄが変化することによって生じる波形Ｖ0と波形Ｖ1との電圧差分の絶対値｜ΔＶ｜（図７参照）、すなわち、第１電極Ｅ１と第３電極Ｅ３とで構成される第１容量素子Ｃ１１と、第２電極Ｅ２と第３電極Ｅ３とで構成される第２容量素子Ｃ１２とが直列接続されて構成される合成容量素子Ｃ１の静電容量の変化に伴う出力信号の変化量を検出することで、表示領域１００への押力を求めることができる。
【００６４】
図１０は、実施形態１に係るタッチ検出機能付き表示装置の押力算出処理時における第１電極及び第２電極と検出部との電気的な接続状態の一例を示す図である。図３は、実施形態１に係るタッチ検出機能付き表示装置における各電極の配置パターンの一例を示す図である。
【００６５】
図１０に示す例では、図９中に示す８本の駆動電極ＣＯＭＬのうち、駆動電極ＣＯＭＬの配列方向の両端に位置する駆動電極ＣＯＭＬを第１電極Ｅ１とし、それ以外の駆動電極ＣＯＭＬを第２電極Ｅ２としてタッチ検出時のそれぞれの役割を分けた例を示している。以下の説明では、図１０に示す例において、左端の駆動電極ＣＯＭＬから順に、第１電極Ｅ１としての送信電極Ｔｘ１、第２電極Ｅ２としての受信電極Ｒｘ１−１、受信電極Ｒｘ１−２、受信電極Ｒｘ１−３、受信電極Ｒｘ２−３、受信電極Ｒｘ２−２、受信電極Ｒｘ２−１、第１電極Ｅ１としての送信電極Ｔｘ２と称する。
【００６６】
送信電極Ｔｘ１には、第２駆動ドライバ４１−２から第５の駆動信号Ｖｄ５（Ｔｘ１）が印加され、送信電極Ｔｘ２には、第２駆動ドライバ４１−２から第５の駆動信号Ｖｄ５（Ｔｘ２）が印加される。なお、図１０に示す例では、駆動信号スイッチ１４０を省略している。
【００６７】
受信電極Ｒｘ１−１からは、第２検出部４２−２に第５の検出信号Ｖｄｅｔ５（Ｒｘ１−１）が出力され、受信電極Ｒｘ１−２からは、第２検出部４２−２に第５の検出信号Ｖｄｅｔ５（Ｒｘ１−２）が出力され、受信電極Ｒｘ１−３からは、第２検出部４２−２に第５の検出信号Ｖｄｅｔ５（Ｒｘ１−３）が出力され、受信電極Ｒｘ２−３からは、第２検出部４２−２に第５の検出信号Ｖｄｅｔ５（Ｒｘ２−３）が出力され、受信電極Ｒｘ２−２からは、第２検出部４２−２に第５の検出信号Ｖｄｅｔ５（Ｒｘ２−２）が出力され、受信電極Ｒｘ２−１からは、第２検出部４２−２に第５の検出信号Ｖｄｅｔ５（Ｒｘ２−１）が出力される。
【００６８】
図１１に示す例では、上述した第１電極Ｅ１（送信電極Ｔｘ１，Ｔｘ２）及び第２電極Ｅ２（受信電極Ｒｘ１−１，Ｒｘ１−２，Ｒｘ１−３，Ｒｘ２−３，Ｒｘ２−２，Ｒｘ２−１）に対し、第３電極Ｅ３（浮遊電極５０ａ，５０ｂ，５０ｃ，５０ｄ，５０ｅ，５０ｆ）を対向配置した配列パターンの一例を示している。より具体的には、駆動電極ＣＯＭＬ形成領域を上下３段、左右２列の６つの領域に分け、図１１の上段の左側の領域Ａにおいて、送信電極Ｔｘ１と受信電極Ｒｘ１−１とに跨って浮遊電極５０ａが配置されている。また、図１１の上段の右側の領域Ｂにおいて、送信電極Ｔｘ２と受信電極Ｒｘ２−１，Ｒｘ２−２，Ｒｘ２−３とに跨って浮遊電極５０ｂが配置されている。また、図１１の中段の左側の領域Ｃにおいて、送信電極Ｔｘ１と受信電極Ｒｘ１−１，Ｒｘ１−２とに跨って浮遊電極５０ｃが配置されている。また、図１１の中段の右側の領域Ｄにおいて、送信電極Ｔｘ２と受信電極Ｒｘ２−１，Ｒｘ２−２とに跨って浮遊電極５０ｄが配置されている。また、図１１の下段の左側の領域Ｅにおいて、送信電極Ｔｘ１と受信電極Ｒｘ１−１，Ｒｘ１−２，Ｒｘ１−３とに跨って浮遊電極５０ｅが配置されている。また、図１１の下段の右側の領域Ｆにおいて、送信電極Ｔｘ２と受信電極Ｒｘ２−１とに跨って浮遊電極５０ｆが配置されている。なお、図１１に示す例では、領域Ａの受信電極Ｒｘ１−２及び受信電極Ｒｘ１−３に重なる部分、領域Ｃの受信電極Ｒｘ１−３に重なる部分、領域Ｄの受信電極Ｒｘ２−３に重なる部分、及び領域Ｆの受信電極Ｒｘ２−２及び受信電極Ｒｘ２−３に重なる部分には浮遊電極が配置されていない態様について示しているが、浮遊電極の配置はこれに限定されるものではなく、以降の実施形態１の変形例１，２，３、及び実施形態２，３の態様も取り得るし、他の態様も取り得る。
【００６９】
図１０及び図１１に示す構成において、第３電極Ｅ３（浮遊電極５０ａ，５０ｂ，５０ｃ，５０ｄ，５０ｅ，５０ｆ）を介して合成容量素子Ｃ１（図５参照）を構成する組み合わせは、（送信電極Ｔｘｎ；浮遊電極；受信電極Ｒｘｍ）で表現するとすれば、
（Ｔｘ１；浮遊電極５０ａ；Ｒｘ１−１）
（Ｔｘ１；浮遊電極５０ｃ；Ｒｘ１−２）
（Ｔｘ１；浮遊電極５０ｅ；Ｒｘ１−３）
（Ｔｘ２；浮遊電極５０ｂ；Ｒｘ２−３）
（Ｔｘ２；浮遊電極５０ｄ；Ｒｘ２−２）
（Ｔｘ２；浮遊電極５０ｆ；Ｒｘ２−１）
の６通りである。換言すれば、各受信電極Ｒｘ１−１，Ｒｘ１−２，Ｒｘ１−３，Ｒｘ２−１，Ｒｘ２−２，Ｒｘ２−３は、それぞれ送信電極Ｔｘ１，Ｔｘ２のうちの何れか１つとで合成容量素子Ｃ１を構成する。
【００７０】
図１０及び図１１に示す構成では、送信電極Ｔｘ１（第１電極Ｅ１）に対し、３つの受信電極Ｒｘ１−１，Ｒｘ１−２，Ｒｘ１−３（第２電極Ｅ２）が並設され、送信電極Ｔｘ２（第１電極Ｅ１）に対し、３つの受信電極Ｒｘ２−１，Ｒｘ２−２，Ｒｘ２−３（第２電極Ｅ２）が並設されている。
【００７１】
また、図１０及び図１１に示す構成において、３つの受信電極Ｒｘ１−１，Ｒｘ１−２，Ｒｘ１−３（第２電極Ｅ２）は、１つの送信電極Ｔｘ１（第１電極Ｅ１）と合成容量素子Ｃ１を構成し、３つの受信電極Ｒｘ２−１，Ｒｘ２−２，Ｒｘ２−３（第２電極Ｅ２）は、１つの送信電極Ｔｘ２（第１電極Ｅ１）と合成容量素子Ｃ１を構成している。すなわち、送信電極Ｔｘ１，Ｔｘ２の双方とで合成容量素子Ｃ１を構成する受信電極は存在しない。従って、上述した図１０及び図１１に示す構成では、各送信電極Ｔｘ１，Ｔｘ２（第１電極Ｅ１）に対して同時に第５の駆動信号Ｖｄ５（Ｔｘ１），Ｖｄ５（Ｔｘ２）を送信し、並列して処理することが可能である。
【００７２】
上述した構成において、第２の押力算出処理を行う場合、図１に示すタッチパネル３０は、送信電極Ｔｘ１に対して第２駆動ドライバ４１−２から第５の駆動信号Ｖｄ５（Ｔｘ１）が供給され、この第５の駆動信号Ｖｄ５（Ｔｘ１）に従って、送信電極Ｔｘ１に電荷が供給される。また、送信電極Ｔｘ２に対して第２駆動ドライバ４１−２から第５の駆動信号Ｖｄ５（Ｔｘ２）が供給され、この第５の駆動信号Ｖｄ５（Ｔｘ２）に従って、送信電極Ｔｘ２に電荷が供給される。
【００７３】
タッチパネル３０は、受信電極Ｒｘ１−１から第５の検出信号Ｖｄｅｔ５（Ｒｘ１−１）を出力する。また、受信電極Ｒｘ１−２から第５の検出信号Ｖｄｅｔ５（Ｒｘ１−２）を出力する。また、受信電極Ｒｘ１−３から第５の検出信号Ｖｄｅｔ５（Ｒｘ１−３）を出力する。また、受信電極Ｒｘ２−１から第５の検出信号Ｖｄｅｔ５（Ｒｘ２−１）を出力する。また、受信電極Ｒｘ２−２から第５の検出信号Ｖｄｅｔ５（Ｒｘ２−２）を出力する。また、受信電極Ｒｘ２−３から第５の検出信号Ｖｄｅｔ５（Ｒｘ２−３）を出力する。これら第５の検出信号Ｖｄｅｔ５（Ｒｘ１−１），Ｖｄｅｔ５（Ｒｘ１−２），Ｖｄｅｔ５（Ｒｘ１−３），Ｖｄｅｔ５（Ｒｘ２−１），Ｖｄｅｔ５（Ｒｘ２−２），Ｖｄｅｔ５（Ｒｘ２−３）は、検出部４０の第２検出部４２−２に供給される。
【００７４】
第２検出部４２−２は、タッチパネル３０から供給される第５の検出信号Ｖｄｅｔ５（Ｒｘ１−１），Ｖｄｅｔ５（Ｒｘ１−２），Ｖｄｅｔ５（Ｒｘ１−３），Ｖｄｅｔ５（Ｒｘ２−１），Ｖｄｅｔ５（Ｒｘ２−２），Ｖｄｅｔ５（Ｒｘ２−３）を増幅する。
【００７５】
第２Ａ／Ｄ変換部４３−２は、第２検出部４２−２から入力された信号をＡ／Ｄ変換して、信号処理部４４に出力する。
【００７６】
信号処理部４４は、各受信電極Ｒｘ１−１，Ｒｘ１−２，Ｒｘ１−３，Ｒｘ２−１，Ｒｘ２−２，Ｒｘ２−３毎に、表示領域１００への押力による検出信号の差分を取り出す処理を行う。この検出信号の差分は、上述した図７における波形Ｖ0と波形Ｖ1との差分の絶対値｜ΔＶ｜である。また、信号処理部４４は、各受信電極Ｒｘ１−１，Ｒｘ１−２，Ｒｘ１−３，Ｒｘ２−１，Ｒｘ２−２，Ｒｘ２−３当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、上述のようにして得られた波形Ｖ0と波形Ｖ1との差分の絶対値｜ΔＶ｜、すなわち合成容量素子Ｃ１の静電容量の変化に伴う出力信号の変化量である検出値｜ΔＶ｜を用いて、各領域Ａ，Ｂ，Ｃ，Ｄ，Ｅ，Ｆにおける押力を算出することができる。
【００７７】
図３に示す例において、例えば、領域Ａに押力が加えられると、受信電極Ｒｘ１−１における検出値｜ΔＶ｜が、他の受信電極Ｒｘ１−２，Ｒｘ１−３，Ｒｘ２−１，Ｒｘ２−２，Ｒｘ２−３における検出値｜ΔＶ｜よりも大きくなる。
【００７８】
また、例えば、図１１に示す領域Ｂに押力が加えられると、受信電極Ｒｘ２−１，Ｒｘ２−２，Ｒｘ２−３における検出値｜ΔＶ｜が、他の受信電極Ｒｘ１−１，Ｒｘ１−２，Ｒｘ１−３における検出値｜ΔＶ｜よりも大きくなる。
【００７９】
また、例えば、図１１に示す領域Ｃに押力が加えられると、受信電極Ｒｘ１−１，Ｒｘ１−２における検出値｜ΔＶ｜が、他の受信電極Ｒｘ１−３，Ｒｘ２−１，Ｒｘ２−２，Ｒｘ２−３における検出値｜ΔＶ｜よりも大きくなる。
【００８０】
また、例えば、図１１に示す領域Ｄに押力が加えられると、受信電極Ｒｘ２−１，Ｒｘ２−２における検出値｜ΔＶ｜が、他の受信電極Ｒｘ１−１，Ｒｘ１−２，Ｒｘ１−３，Ｒｘ２−３における検出値｜ΔＶ｜よりも大きくなる。
【００８１】
また、例えば、図１１に示す領域Ｅに押力が加えられると、受信電極Ｒｘ１−１，Ｒｘ１−２，Ｒｘ１−３における検出値｜ΔＶ｜が、他の受信電極Ｒｘ２−１，Ｒｘ２−２，Ｒｘ２−３における検出値｜ΔＶ｜よりも大きくなる。
【００８２】
また、例えば、図１１に示す領域Ｆに押力が加えられると、受信電極Ｒｘ２−１における検出値｜ΔＶ｜が、他の受信電極Ｒｘ１−１，Ｒｘ１−２，Ｒｘ１−３，Ｒｘ２−２，Ｒｘ２−３における検出値｜ΔＶ｜よりも大きくなる。
【００８３】
このように、表示領域１００を複数の領域に区切り、浮遊電極５０（第３電極Ｅ３）の配置パターンを分割領域毎に異ならせることで、分割領域毎に、表示領域１００への押力を算出することができる。
【００８４】
なお、上述した例では、表示領域１００を複数分割した各分割領域における押力を求める例を示したが、実施形態１に係るタッチ検出機能付き表示装置１では、表示領域１００の任意位置における押力を算出することができる。
【００８５】
図１２は、図１１に示す各電極の配置パターンにおける検出値の一例を示す図である。例えば、図１２に示すように、押力が加えられてタッチ検出機能付き表示部１０が撓む領域が複数領域に跨る場合でも、表示領域１００の任意位置における押力の算出が可能である。
【００８６】
例えば、表示領域１００が押圧された結果として、タッチ検出機能付き表示部１０の撓み量の分布が図１２（ａ）に示される状態となった場合には、受信電極Ｒｘ１−２における検出値｜ΔＶ｜が最も大きい値となり、受信電極Ｒｘ１−２に隣接する受信電極Ｒｘ１−１，Ｒｘ１−３における検出値｜ΔＶ｜が受信電極Ｒｘ１−２における検出値｜ΔＶ｜に次いで大きい値となる。
【００８７】
また、例えば、タッチ検出機能付き表示部１０の撓み量の分布が図１２（ｂ）に示される状態となった場合には、受信電極Ｒｘ１−１における検出値｜ΔＶ｜が最も大きい値となり、受信電極Ｒｘ１−１に隣接する受信電極Ｒｘ１−２における検出値｜ΔＶ｜が受信電極Ｒｘ１−１に次いで大きい値となる。
【００８８】
また、例えば、タッチ検出機能付き表示部１０の撓み量の分布が図１２（ｃ）の如く複数の領域で示される状態となった場合には、受信電極Ｒｘ１−１における検出値｜ΔＶ｜が最も大きい値となり、受信電極Ｒｘ２−３における検出値｜ΔＶ｜が受信電極Ｒｘ１−１における検出値｜ΔＶ｜に次いで大きい値となる。
【００８９】
信号処理部４４は、各受信電極Ｒｘ１−１，Ｒｘ１−２，Ｒｘ１−３，Ｒｘ２−１，Ｒｘ２−２，Ｒｘ２−３における検出値｜ΔＶ｜を適切に解析することで、上述したように、押力が加えられてタッチ検出機能付き表示部１０が撓む領域が複数領域に跨る場合でも、表示領域１００の任意位置における押力の算出が可能となり、図１２（ｃ）に示すように、押力が加えられている位置が複数箇所存在する場合でも、表示領域１００の任意位置における押力の算出が可能となる。
【００９０】
従って、信号処理部４４は、上述した第１のタッチ位置検出処理、第２のタッチ位置検出処理、第３のタッチ位置検出処理によって検出されたタッチ検出位置における押力を適切に算出することができるようになる。
【００９１】
（変形例１）
図１３は、実施形態１の変形例１に係るタッチ検出機能付き表示装置の押力算出処理時における第１電極及び第２電極と検出部との電気的な接続状態の一例を示す図である。図１４は、実施形態１の変形例１に係るタッチ検出機能付き表示装置における各電極の配置パターンの一例を示す図である。図１５は、図１４に示す各電極の配置パターンにおける検出値の一例を示す図である。なお、図１５におけるタッチ検出機能付き表示部１０が撓む領域及び撓み量は、図１２に示す例と同一であるものとする。
【００９２】
図１３に示す例では、８本の駆動電極ＣＯＭＬのうち、駆動電極ＣＯＭＬの配列方向の左から数えて１列目と５列目に位置する駆動電極ＣＯＭＬを第１電極Ｅ１とし、それ以外の駆動電極ＣＯＭＬを第２電極Ｅ２としてタッチ検出時のそれぞれの役割を分けた例を示している。以下の説明では、図１３に示す例において、左端の駆動電極ＣＯＭＬから順に、第１電極Ｅ１としての送信電極Ｔｘ１、第２電極Ｅ２としての受信電極Ｒｘ１−１、受信電極Ｒｘ１−２、受信電極Ｒｘ１−３、第１電極Ｅ１としての送信電極Ｔｘ２、第２電極Ｅ２としての受信電極Ｒｘ２−１、受信電極Ｒｘ２−２、受信電極Ｒｘ２−３と称する。
【００９３】
送信電極Ｔｘ１には、第２駆動ドライバ４１−２から第５の駆動信号Ｖｄ５（Ｔｘ１）が印加され、送信電極Ｔｘ２には、第２駆動ドライバ４１−２から第５の駆動信号Ｖｄ５（Ｔｘ２）が印加される。なお、図１３に示す例では、駆動信号スイッチ１４０を省略している。
【００９４】
受信電極Ｒｘ１−１からは、第２検出部４２−２に第５の検出信号Ｖｄｅｔ５（Ｒｘ１−１）が出力され、受信電極Ｒｘ１−２からは、第２検出部４２−２に第５の検出信号Ｖｄｅｔ５（Ｒｘ１−２）が出力され、受信電極Ｒｘ１−３からは、第２検出部４２−２に第５の検出信号Ｖｄｅｔ５（Ｒｘ１−３）が出力され、受信電極Ｒｘ２−１からは、第２検出部４２−２に第５の検出信号Ｖｄｅｔ５（Ｒｘ２−１）が出力され、受信電極Ｒｘ２−２からは、第２検出部４２−２に第５の検出信号Ｖｄｅｔ５（Ｒｘ２−２）が出力され、受信電極Ｒｘ２−３からは、第２検出部４２−２に第５の検出信号Ｖｄｅｔ５（Ｒｘ２−３）が出力される。
【００９５】
図１４に示す例では、駆動電極ＣＯＭＬ形成領域を上下３段、左右２列の６つの領域に分け、図１４の上段の左側の領域Ａにおいて、送信電極Ｔｘ１と受信電極Ｒｘ１−１とに跨って浮遊電極５０ａが配置されている。また、図１４の上段の右側の領域Ｂにおいて、送信電極Ｔｘ２と受信電極Ｒｘ２−１とに跨って浮遊電極５０ｂが配置されている。また、図１４の中段の左側の領域Ｃにおいて、送信電極Ｔｘ１と受信電極Ｒｘ１−２とに跨って浮遊電極５０ｃが配置されている。また、図１４の中段の右側の領域Ｄにおいて、送信電極Ｔｘ２と受信電極Ｒｘ２−２とに跨って浮遊電極５０ｄが配置されている。また、図１４の下段の左側の領域Ｅにおいて、送信電極Ｔｘ１と受信電極Ｒｘ１−３とに跨って浮遊電極５０ｅが配置されている。また、図１４の下段の右側の領域Ｆにおいて、送信電極Ｔｘ２と受信電極Ｒｘ２−３とに跨って浮遊電極５０ｆが配置されている。なお、図１４に示す例において、浮遊電極５０ｃの受信電極Ｒｘ１−１に重なる部分、浮遊電極５０ｄの受信電極Ｒｘ２−１に重なる部分、浮遊電極５０ｅの受信電極Ｒｘ１−１，Ｒｘ１−２に重なる部分、浮遊電極５０ｆの受信電極Ｒｘ２−１，Ｒｘ２−２に重なる部分は、これによる静電容量成分を無視できるほど細く配線されているものとする。
【００９６】
上述した図１３及び図１４に示す構成においても、送信電極Ｔｘ１（第１電極Ｅ１）に対し、３つの受信電極Ｒｘ１−１，Ｒｘ１−２，Ｒｘ１−３（第２電極Ｅ２）が並設され、送信電極Ｔｘ２（第１電極Ｅ１）に対し、３つの受信電極Ｒｘ２−１，Ｒｘ２−２，Ｒｘ２−３（第２電極Ｅ２）が並設されている。
【００９７】
また、上述した図１３及び図１４に示す構成においても、３つの受信電極Ｒｘ１−１，Ｒｘ１−２，Ｒｘ１−３（第２電極Ｅ２）は、１つの送信電極Ｔｘ１（第１電極Ｅ１）と合成容量素子Ｃ１を構成し、３つの受信電極Ｒｘ２−１，Ｒｘ２−２，Ｒｘ２−３（第２電極Ｅ２）は、１つの送信電極Ｔｘ２（第１電極Ｅ１）と合成容量素子Ｃ１を構成している。すなわち、上述した図１３及び図１４に示す構成においても、送信電極Ｔｘ１，Ｔｘ２の双方とで合成容量素子Ｃ１（図５参照）を構成する受信電極は存在しない。従って、上述した図１３及び図１４に示す構成においても、上述した実施形態１の図１０及び図１１に示す構成と同様に、各送信電極Ｔｘ１，Ｔｘ２（第１電極Ｅ１）に対して同時に第５の駆動信号Ｖｄ５（Ｔｘ１），Ｖｄ５（Ｔｘ２）を送信し、並列して処理することが可能である。
【００９８】
図１４に示す例において、例えば、領域Ａに押力が加えられると、受信電極Ｒｘ１−１における検出値｜ΔＶ｜が、他の受信電極Ｒｘ１−２，Ｒｘ１−３，Ｒｘ２−１，Ｒｘ２−２，Ｒｘ２−３における検出値｜ΔＶ｜よりも大きくなる。
【００９９】
また、例えば、図１４に示す領域Ｂに押力が加えられると、受信電極Ｒｘ２−１，Ｒｘ２−２，Ｒｘ２−３における検出値｜ΔＶ｜が、他の受信電極Ｒｘ１−１，Ｒｘ１−２，Ｒｘ１−３における検出値｜ΔＶ｜よりも大きくなる。
【０１００】
また、例えば、図１４に示す領域Ｃに押力が加えられると、受信電極Ｒｘ１−２における検出値｜ΔＶ｜が、他の受信電極Ｒｘ１−１，Ｒｘ１−３，Ｒｘ２−１，Ｒｘ２−２，Ｒｘ２−３における検出値｜ΔＶ｜よりも大きくなる。
【０１０１】
また、例えば、図１４に示す領域Ｄに押力が加えられると、受信電極Ｒｘ２−２における検出値｜ΔＶ｜が、他の受信電極Ｒｘ１−１，Ｒｘ１−２，Ｒｘ１−３，Ｒｘ２−１，Ｒｘ２−３における検出値｜ΔＶ｜よりも大きくなる。
【０１０２】
また、例えば、図１４に示す領域Ｅに押力が加えられると、受信電極Ｒｘ１−３における検出値｜ΔＶ｜が、他の受信電極Ｒｘ１−１，Ｒｘ１−２，Ｒｘ２−１，Ｒｘ２−２，Ｒｘ２−３における検出値｜ΔＶ｜よりも大きくなる。
【０１０３】
また、例えば、図１４に示す領域Ｆに押力が加えられると、受信電極Ｒｘ２−３における検出値｜ΔＶ｜が、他の受信電極Ｒｘ１−１，Ｒｘ１−２，Ｒｘ１−３，Ｒｘ２−１，Ｒｘ２−２における検出値｜ΔＶ｜よりも大きくなる。
【０１０４】
実施形態１の変形例１に係るタッチ検出機能付き表示装置１において、例えば、表示領域１００が押圧された結果として、タッチ検出機能付き表示部１０の撓み量の分布が図１５（ａ）に示される状態となった場合には、受信電極Ｒｘ１−３における検出値｜ΔＶ｜が最も大きい値となり、受信電極Ｒｘ１−３に隣接する受信電極Ｒｘ１−２における検出値｜ΔＶ｜が受信電極Ｒｘ１−３における検出値｜ΔＶ｜に次いで大きい値となる。
【０１０５】
また、例えば、タッチ検出機能付き表示部１０の撓み量の分布が図１５（ｂ）に示される状態となった場合には、受信電極Ｒｘ１−１における検出値｜ΔＶ｜が最も大きい値となり、受信電極Ｒｘ１−１に隣接する受信電極Ｒｘ１−２における検出値｜ΔＶ｜が受信電極Ｒｘ１−１における検出値｜ΔＶ｜に次いで大きい値となる。
【０１０６】
また、例えば、タッチ検出機能付き表示部１０の撓み量の分布が図１５（ｃ）に示される状態となった場合には、受信電極Ｒｘ１−１における検出値｜ΔＶ｜が最も大きい値となり、受信電極Ｒｘ２−３における検出値｜ΔＶ｜が受信電極Ｒｘ１−１における検出値｜ΔＶ｜に次いで大きい値となる。
【０１０７】
図１１に示す各電極の配置パターンにおける検出値（図１２）と比較すると、隣接した受信電極間で検出値｜ΔＶ｜の大きさの差が大きくなっている。具体的には、図１５（ａ）に示す例では、受信電極Ｒｘ１−３における検出値｜ΔＶ｜が最も大きく、受信電極Ｒｘ１−３に隣接する受信電極Ｒｘ１−２における検出値｜ΔＶ｜が極めて小さくなっている。また、図１５（ｂ）に示す例では、受信電極Ｒｘ１−１における検出値｜ΔＶ｜が最も大きく、受信電極Ｒｘ１−１に隣接する受信電極Ｒｘ１−２における検出値｜ΔＶ｜が極めて小さくなっている。また、図１５（ｃ）に示す例では、受信電極Ｒｘ１−１における検出値｜ΔＶ｜が最も大きく、受信電極Ｒｘ１−１に隣接する受信電極Ｒｘ１−２における検出値｜ΔＶ｜が極めて小さくなっており、さらに、受信電極Ｒｘ１−１における検出値｜ΔＶ｜に次いで検出値｜ΔＶ｜が大きい受信電極Ｒｘ２−３に隣接する受信電極Ｒｘ２−２における検出値｜ΔＶ｜が極めて小さくなっている。
【０１０８】
従って、図１４に示す実施形態１の変形例１に係るタッチ検出機能付き表示装置１における各電極の配置パターンでは、図１１に示す各電極の配置パターンよりも、表示領域１００の任意位置における押力の算出が容易となる。
【０１０９】
（変形例２）
図１６は、実施形態１の変形例２に係るタッチ検出機能付き表示装置の押力算出処理時における第１電極及び第２電極と検出部との電気的な接続状態の一例を示す図である。図１７は、実施形態１の変形例２に係るタッチ検出機能付き表示装置における各電極の配置パターンの一例を示す図である。図１０は、図１６に示す各電極の配置パターンにおける検出値の一例を示す図である。なお、図１０におけるタッチ検出機能付き表示部１０が撓む領域及び撓み量は、図１２及び図１５に示す例と同一であるものとする。
【０１１０】
図１６に示す例では、８本の駆動電極ＣＯＭＬのうち、駆動電極ＣＯＭＬの配列方向の左から奇数列に位置する駆動電極ＣＯＭＬを第１電極Ｅ１とし、偶数列に位置する駆動電極ＣＯＭＬを第２電極Ｅ２としてタッチ検出時のそれぞれの役割を分けた例を示している。以下の説明では、図１６に示す例において、左端の駆動電極ＣＯＭＬから順に、第１電極Ｅ１としての送信電極Ｔｘ１、第２電極Ｅ２としての受信電極Ｒｘ１、第１電極Ｅ１としての送信電極Ｔｘ２、第２電極Ｅ２としての受信電極Ｒｘ２、第１電極Ｅ１としての送信電極Ｔｘ３、第２電極Ｅ２としての受信電極Ｒｘ３、第１電極Ｅ１としての送信電極Ｔｘ４、第２電極Ｅ２としての受信電極Ｒｘ４と称する。
【０１１１】
送信電極Ｔｘ１には、第２駆動ドライバ４１−２から第５の駆動信号Ｖｄ５（Ｔｘ１）が印加される。送信電極Ｔｘ２には、第２駆動ドライバ４１−２から第５の駆動信号Ｖｄ５（Ｔｘ２）が印加される。送信電極Ｔｘ３には、第２駆動ドライバ４１−２から第５の駆動信号Ｖｄ５（Ｔｘ３）が印加される。送信電極Ｔｘ４には、第２駆動ドライバ４１−２から第５の駆動信号Ｖｄ５（Ｔｘ４）が印加される。なお、図１６に示す例では、駆動信号スイッチ１４０を省略している。
【０１１２】
受信電極Ｒｘ１からは、第２検出部４２−２に第５の検出信号Ｖｄｅｔ５（Ｒｘ１）が出力され、受信電極Ｒｘ２からは、第２検出部４２−２に第５の検出信号Ｖｄｅｔ５（Ｒｘ２）が出力され、受信電極Ｒｘ３からは、第２検出部４２−２に第５の検出信号Ｖｄｅｔ５（Ｒｘ３）が出力され、受信電極Ｒｘ４からは、第２検出部４２−２に第５の検出信号Ｖｄｅｔ５（Ｒｘ４）が出力される。
【０１１３】
図１７に示す例では、送信電極Ｔｘ１及び受信電極Ｒｘ１、送信電極Ｔｘ１及び受信電極Ｒｘ２、送信電極Ｔｘ１及び受信電極Ｒｘ３、送信電極Ｔｘ１及び受信電極Ｒｘ４、送信電極Ｔｘ２及び受信電極Ｒｘ１、送信電極Ｔｘ２及び受信電極Ｒｘ２、送信電極Ｔｘ２及び受信電極Ｒｘ３、送信電極Ｔｘ２及び受信電極Ｒｘ４、送信電極Ｔｘ３及び受信電極Ｒｘ１、送信電極Ｔｘ３及び受信電極Ｒｘ２、送信電極Ｔｘ３及び受信電極Ｒｘ３、送信電極Ｔｘ３及び受信電極Ｒｘ４、送信電極Ｔｘ４及び受信電極Ｒｘ１、送信電極Ｔｘ４及び受信電極Ｒｘ２、送信電極Ｔｘ４及び受信電極Ｒｘ３、送信電極Ｔｘ４及び受信電極Ｒｘ４、にそれぞれ浮遊電極５０が跨って配置されている。なお、図１７に示す例において、隣り合っていない電極間に跨って配置される部分は、これによる容量成分を無視できるほど細く配線されているものとする。
【０１１４】
図１６及び図１７に示す構成において、第３電極Ｅ３（浮遊電極５０ａ，５０ｂ，５０ｃ，５０ｄ，５０ｅ，５０ｆ，５０ｇ，５０ｈ，５０ｉ，５０ｊ，５０ｋ，５０ｌ，５０ｍ，５０ｎ，５０ｏ，５０ｐ）を介して合成容量素子Ｃ１（図５参照）を構成する第１電極Ｅ１と第２電極Ｅ２との組み合わせは、（送信電極Ｔｘｎ；浮遊電極；受信電極Ｒｘｍ）で表現するとすれば、
（Ｔｘ１；浮遊電極５０ａ；Ｒｘ１）
（Ｔｘ１；浮遊電極５０ｅ；Ｒｘ２）
（Ｔｘ１；浮遊電極５０ｉ；Ｒｘ３）
（Ｔｘ１；浮遊電極５０ｍ；Ｒｘ４）
（Ｔｘ２；浮遊電極５０ｂ；Ｒｘ２）
（Ｔｘ２；浮遊電極５０ｆ；Ｒｘ１）
（Ｔｘ２；浮遊電極５０ｋ；Ｒｘ４）
（Ｔｘ２；浮遊電極５０ｏ；Ｒｘ３）
（Ｔｘ３；浮遊電極５０ｃ；Ｒｘ３）
（Ｔｘ３；浮遊電極５０ｇ；Ｒｘ４）
（Ｔｘ３；浮遊電極５０ｊ；Ｒｘ１）
（Ｔｘ３；浮遊電極５０ｐ；Ｒｘ２）
（Ｔｘ４；浮遊電極５０ｄ；Ｒｘ４）
（Ｔｘ４；浮遊電極５０ｈ；Ｒｘ３）
（Ｔｘ４；浮遊電極５０ｌ；Ｒｘ２）
（Ｔｘ４；浮遊電極５０ｎ；Ｒｘ１）
の１６（＝４＊４）通りである。
【０１１５】
図１６及び図１７に示す構成では、送信電極Ｔｘ１（第１電極Ｅ１）に対し、１つの受信電極Ｒｘ１（第２電極Ｅ２）が並設され、送信電極Ｔｘ２（第１電極Ｅ１）に対し、１つの受信電極Ｒｘ２（第２電極Ｅ２）が並設され、送信電極Ｔｘ３（第１電極Ｅ１）に対し、１つの受信電極Ｒｘ３（第２電極Ｅ２）が並設され、送信電極Ｔｘ４（第１電極Ｅ１）に対し、１つの受信電極Ｒｘ４（第２電極Ｅ２）が並設されている。
【０１１６】
また、図１６及び図１７に示す構成では、全ての送信電極Ｒｘ１，Ｒｘ２，Ｒｘ３，Ｒｘ４（第２電極Ｅ２）は、全ての送信電極Ｔｘ１，Ｔｘ２，Ｔｘ３，Ｔｘ４（第１電極Ｅ１）と合成容量素子Ｃ１を構成している。従って、上述した図１６及び図１７に示す構成では、各送信電極Ｔｘ１，Ｔｘ２，Ｔｘ３，Ｔｘ４（第１電極Ｅ１）に対して順次第５の駆動信号Ｖｄ５（Ｔｘ１），Ｖｄ５（Ｔｘ２），Ｖｄ５（Ｔｘ３），Ｖｄ５（Ｔｘ４）を送信し、時分割処理を行う必要がある。
【０１１７】
実施形態１の変形例２に係るタッチ検出機能付き表示装置１において、例えば、表示領域１００が押圧された結果として、タッチ検出機能付き表示部１０の撓み量の分布が図１８（ａ）に示される状態となった場合には、第５の駆動信号Ｖｄ５（Ｔｘ１）の送信時において、受信電極Ｒｘ４における検出値｜ΔＶ｜が最も大きい値となり、受信電極Ｒｘ３における検出値｜ΔＶ｜が受信電極Ｒｘ４における検出値｜ΔＶ｜に次いで大きい値となる。また、第５の駆動信号Ｖｄ５（Ｔｘ２）の送信時において、受信電極Ｒｘ３における検出値｜ΔＶ｜が最も大きい値となり、受信電極Ｒｘ４における検出値｜ΔＶ｜が受信電極Ｒｘ３における検出値｜ΔＶ｜に次いで大きい値となる。また、第５の駆動信号Ｖｄ５（Ｔｘ３）の送信時において、受信電極Ｒｘ２における検出値｜ΔＶ｜が最も大きい値となり、受信電極Ｒｘ１における検出値｜ΔＶ｜が受信電極Ｒｘ２における検出値｜ΔＶ｜に次いで大きい値となる。また、第５の駆動信号Ｖｄ５（Ｔｘ４）の送信時において、受信電極Ｒｘ１における検出値｜ΔＶ｜が最も大きい値となり、受信電極Ｒｘ２における検出値｜ΔＶ｜が受信電極Ｒｘ１における検出値｜ΔＶ｜に次いで大きい値となる。
【０１１８】
また、例えば、タッチ検出機能付き表示部１０の撓み量の分布が図１８（ｂ）に示される状態となった場合には、第５の駆動信号Ｖｄ５（Ｔｘ１）の送信時において、受信電極Ｒｘ１における検出値｜ΔＶ｜が最も大きい値となり、受信電極Ｒｘ２における検出値｜ΔＶ｜が受信電極Ｒｘ１における検出値｜ΔＶ｜に次いで大きい値となる。また、第５の駆動信号Ｖｄ５（Ｔｘ２）の送信時において、受信電極Ｒｘ１における検出値｜ΔＶ｜が最も大きい値となり、受信電極Ｒｘ２における検出値｜ΔＶ｜が受信電極Ｒｘ１における検出値｜ΔＶ｜に次いで大きい値となる。また、第５の駆動信号Ｖｄ５（Ｔｘ３）の送信時、及び、第５の駆動信号Ｖｄ５（Ｔｘ４）の送信時においては、各受信電極Ｒｘ１，Ｒｘ２，Ｒｘ３，Ｒｘ４における検出値｜ΔＶ｜が検出されていない。
【０１１９】
また、例えば、タッチ検出機能付き表示部１０の撓み量の分布が図１８（ｃ）に示される状態となった場合には、第５の駆動信号Ｖｄ５（Ｔｘ１）の送信時において、受信電極Ｒｘ１，Ｒｘ４における検出値｜ΔＶ｜が大きく、受信電極Ｒｘ２，Ｒｘ３における検出値｜ΔＶ｜が小さくなる。また、第５の駆動信号Ｖｄ５（Ｔｘ２）の送信時において、受信電極Ｒｘ１，Ｒｘ３における検出値｜ΔＶ｜が大きく、受信電極Ｒｘ２，Ｒｘ４における検出値｜ΔＶ｜が小さくなる。また、第５の駆動信号Ｖｄ５（Ｔｘ３）の送信時において、受信電極Ｒｘ２における検出値｜ΔＶ｜が最も大きい値となり、受信電極Ｒｘ１における検出値｜ΔＶ｜が受信電極Ｒｘ２における検出値｜ΔＶ｜に次いで大きい値となる。また、第５の駆動信号Ｖｄ５（Ｔｘ４）の送信時において、受信電極Ｒｘ１における検出値｜ΔＶ｜が最も大きい値となり、受信電極Ｒｘ２における検出値｜ΔＶ｜が受信電極Ｒｘ１における検出値｜ΔＶ｜に次いで大きい値となる。
【０１２０】
信号処理部４４は、時分割処理された各受信電極Ｒｘ１，Ｒｘ２，Ｒｘ３，Ｒｘ４における検出値｜ΔＶ｜を適切に解析することで、実施形態１及び実施形態１の変形例１と同様に、押力が加えられてタッチ検出機能付き表示部１０が撓む領域が複数領域に跨る場合でも、表示領域１００の任意位置における押力の算出が可能となり、図１８（ｃ）に示すように、押力が加えられている位置が複数箇所存在する場合でも、表示領域１００の任意位置における押力の算出が可能となる。
【０１２１】
（変形例３）
図１９は、実施形態１の変形例３に係るタッチ検出機能付き表示装置の押力算出処理時における第１電極及び第２電極と検出部との電気的な接続状態の一例を示す図である。図２０は、実施形態１の変形例３に係るタッチ検出機能付き表示装置における各電極の配置パターンの一例を示す図である。図２１は、図２０に示す各電極の配置パターンにおける検出値の一例を示す図である。なお、図２１における押圧位置は、図１２、図１５、及び図１８に示す例において撓み量が大きい位置と同一であるものとする。
【０１２２】
図１９に示す例では、９本の駆動電極ＣＯＭＬのうち、左から数えて１列目、４列目、７列目に位置する駆動電極ＣＯＭＬを第１電極Ｅ１とし、それ以外の駆動電極ＣＯＭＬを第２電極Ｅ２としてタッチ検出時のそれぞれの役割を分けた例を示している。以下の説明では、図１９に示す例において、左端の駆動電極ＣＯＭＬから順に、第１電極Ｅ１としての送信電極Ｔｘ１、第２電極Ｅ２としての受信電極Ｒｘ１−０、受信電極Ｒｘ１−１、第１電極Ｅ１としての送信電極Ｔｘ２、第２電極Ｅ２としての受信電極Ｒｘ２−０、受信電極Ｒｘ２−１、第１電極Ｅ１としての送信電極Ｔｘ３、第２電極Ｅ２としての受信電極Ｒｘ３−０、受信電極Ｒｘ３−１と称する。
【０１２３】
送信電極Ｔｘ１には、第２駆動ドライバ４１−２から第５の駆動信号Ｖｄ５（Ｔｘ１）が印加される。送信電極Ｔｘ２には、第２駆動ドライバ４１−２から第５の駆動信号Ｖｄ５（Ｔｘ２）が印加される。送信電極Ｔｘ３には、第２駆動ドライバ４１−２から第５の駆動信号Ｖｄ５（Ｔｘ３）が印加される。なお、図１９に示す例では、駆動信号スイッチ１４０を省略している。
【０１２４】
受信電極Ｒｘ１−０からは、第２検出部４２−２に第５の検出信号Ｖｄｅｔ５（Ｒｘ１−０）が出力され、受信電極Ｒｘ１−１からは、第２検出部４２−２に第５の検出信号Ｖｄｅｔ５（Ｒｘ１−１）が出力され、受信電極Ｒｘ２−０からは、第２検出部４２−２に第５の検出信号Ｖｄｅｔ５（Ｒｘ２−０）が出力され、受信電極Ｒｘ２−１からは、第２検出部４２−２に第５の検出信号Ｖｄｅｔ５（Ｒｘ２−１）が出力され、受信電極Ｒｘ３−０からは、第２検出部４２−２に第５の検出信号Ｖｄｅｔ５（Ｒｘ３−０）が出力され、受信電極Ｒｘ３−１からは、第２検出部４２−２に第５の検出信号Ｖｄｅｔ５（Ｒｘ３−１）が出力される。
【０１２５】
図２０に示す例では、送信電極Ｔｘ１及び受信電極Ｒｘ１−０，Ｒｘ２−０，Ｒｘ３−０、送信電極Ｔｘ１及び受信電極Ｒｘ１−０，Ｒｘ２−１，Ｒｘ３−０、送信電極Ｔｘ１及び受信電極Ｒｘ１−１，Ｒｘ２−０，Ｒｘ３−０、送信電極Ｔｘ１及び受信電極Ｒｘ１−０，Ｒｘ２−０，Ｒｘ３−１、送信電極Ｔｘ１及び受信電極Ｒｘ１−１，Ｒｘ２−０，Ｒｘ３−１、送信電極Ｔｘ１及び受信電極Ｒｘ１−１，Ｒｘ２−１，Ｒｘ３−０、送信電極Ｔｘ１及び受信電極Ｒｘ１−０，Ｒｘ２−１，Ｒｘ３−１、送信電極Ｔｘ１及び受信電極Ｒｘ１−１，Ｒｘ２−１，Ｒｘ３−１、送信電極Ｔｘ２及び受信電極Ｒｘ１−０，Ｒｘ２−０，Ｒｘ３−０、送信電極Ｔｘ２及び受信電極Ｒｘ１−０，Ｒｘ２−１，Ｒｘ３−０、送信電極Ｔｘ２及び受信電極Ｒｘ１−１，Ｒｘ２−０，Ｒｘ３−０、送信電極Ｔｘ２及び受信電極Ｒｘ１−０，Ｒｘ２−０，Ｒｘ３−１、送信電極Ｔｘ２及び受信電極Ｒｘ１−１，Ｒｘ２−０，Ｒｘ３−１、送信電極Ｔｘ２及び受信電極Ｒｘ１−１，Ｒｘ２−１，Ｒｘ３−０、送信電極Ｔｘ２及び受信電極Ｒｘ１−０，Ｒｘ２−１，Ｒｘ３−１、送信電極Ｔｘ２及び受信電極Ｒｘ１−１，Ｒｘ２−１，Ｒｘ３−１、送信電極Ｔｘ３及び受信電極Ｒｘ１−０，Ｒｘ２−０，Ｒｘ３−０、送信電極Ｔｘ３及び受信電極Ｒｘ１−０，Ｒｘ２−１，Ｒｘ３−０、送信電極Ｔｘ３及び受信電極Ｒｘ１−１，Ｒｘ２−０，Ｒｘ３−０、送信電極Ｔｘ３及び受信電極Ｒｘ１−０，Ｒｘ２−０，Ｒｘ３−１、送信電極Ｔｘ３及び受信電極Ｒｘ１−１，Ｒｘ２−０，Ｒｘ３−１、送信電極Ｔｘ３及び受信電極Ｒｘ１−１，Ｒｘ２−１，Ｒｘ３−０、送信電極Ｔｘ３及び受信電極Ｒｘ１−０，Ｒｘ２−１，Ｒｘ３−１、送信電極Ｔｘ３及び受信電極Ｒｘ１−１，Ｒｘ２−１，Ｒｘ３−１の２４（＝３＊８）通りの組み合わせでそれぞれ浮遊電極５０が設けられている。なお、図２０に示す例において、隣り合っていない電極間に跨って配置される部分は、これによる静電容量成分を無視できるほど細く配線されているものとする。
【０１２６】
また、図１９及び図２０に示す構成において、第３電極Ｅ３（浮遊電極５０ａ，５０ｂ，５０ｃ，５０ｄ，５０ｅ，５０ｆ，５０ｇ，５０ｈ，５０ｉ，５０ｊ，５０ｋ，５０ｌ，５０ｍ，５０ｎ，５０ｏ，５０ｐ，５０ｑ，５０ｒ，５０ｓ，５０ｔ，５０ｕ，５０ｖ，５０ｗ，５０ｘ）を介して合成容量素子Ｃ１（図５参照）を構成する第１電極Ｅ１と第２電極Ｅ２との組み合わせは、（送信電極Ｔｘｎ；浮遊電極；受信電極Ｒｘｍ）で表現するとすれば、
（Ｔｘ１；浮遊電極５０ａ，５０ｄ，５０ｊ，５０ｓ；Ｒｘ１−０）
（Ｔｘ１；浮遊電極５０ｇ，５０ｍ，５０ｐ，５０ｖ；Ｒｘ１−１）
（Ｔｘ１；浮遊電極５０ａ，５０ｇ，５０ｊ，５０ｍ；Ｒｘ２−０）
（Ｔｘ１；浮遊電極５０ｄ，５０ｐ，５０ｓ，５０ｖ；Ｒｘ２−１）
（Ｔｘ１；浮遊電極５０ａ，５０ｄ，５０ｇ，５０ｐ；Ｒｘ３−０）
（Ｔｘ１；浮遊電極５０ｊ，５０ｍ，５０ｓ，５０ｖ；Ｒｘ３−１）
（Ｔｘ２；浮遊電極５０ｂ，５０ｅ，５０ｋ，５０ｔ；Ｒｘ１−０）
（Ｔｘ２；浮遊電極５０ｈ，５０ｎ，５０ｑ，５０ｗ；Ｒｘ１−１）
（Ｔｘ２；浮遊電極５０ｂ，５０ｈ，５０ｋ，５０ｎ；Ｒｘ２−０）
（Ｔｘ２；浮遊電極５０ｅ，５０ｑ，５０ｔ，５０ｗ；Ｒｘ２−１）
（Ｔｘ２；浮遊電極５０ｂ，５０ｅ，５０ｈ，５０ｑ；Ｒｘ３−０）
（Ｔｘ２；浮遊電極５０ｋ，５０ｎ，５０ｔ，５０ｗ；Ｒｘ３−１）
（Ｔｘ３；浮遊電極５０ｃ，５０ｆ，５０ｌ，５０ｕ；Ｒｘ１−０）
（Ｔｘ３；浮遊電極５０ｉ，５０ｏ，５０ｒ，５０ｘ；Ｒｘ１−１）
（Ｔｘ３；浮遊電極５０ｃ，５０ｉ，５０ｌ，５０ｏ；Ｒｘ２−０）
（Ｔｘ３；浮遊電極５０ｆ，５０ｒ，５０ｕ，５０ｘ；Ｒｘ２−１）
（Ｔｘ３；浮遊電極５０ｃ，５０ｆ，５０ｉ，５０ｒ；Ｒｘ３−０）
（Ｔｘ３；浮遊電極５０ｌ，５０ｏ，５０ｕ，５０ｘ；Ｒｘ３−１）
の１８（＝３＊６）通りである。すなわち、図１９及び図２０に示す構成では、全ての受信電極Ｒｘ１−０，Ｒｘ１−１，Ｒｘ２−０，Ｒｘ２−１，Ｒｘ３−０，Ｒｘ３−１は、全ての送信電極Ｔｘ１，Ｔｘ２，Ｔｘ３とで合成容量素子Ｃ１を構成する。
【０１２７】
図１９及び図２０に示す構成では、送信電極Ｔｘ１（第１電極Ｅ１）に対し、２つの受信電極Ｒｘ１−０，Ｒｘ１−１（第２電極Ｅ２）が並設され、送信電極Ｔｘ２（第１電極Ｅ１）に対し、２つの受信電極Ｒｘ２−０，Ｒｘ２−１（第２電極Ｅ２）が並設され、送信電極Ｔｘ３（第１電極Ｅ１）に対し、２つの受信電極Ｒｘ３−０，Ｒｘ３−１（第２電極Ｅ２）が並設されている。
【０１２８】
また、図１９及び図２０に示す構成では、全ての送信電極Ｒｘ１−０，Ｒｘ１−１，Ｒｘ２−０，Ｒｘ２−１，Ｒｘ３−０，Ｒｘ３−１（第２電極Ｅ２）は、全ての送信電極Ｔｘ１，Ｔｘ２，Ｔｘ３（第１電極Ｅ１）と合成容量素子Ｃ１を構成している。従って、上述した図１９及び図２０に示す構成においても、実施形態１の変形例２の図１６及び図１７に示す構成と同様に、各送信電極Ｔｘ１，Ｔｘ２，Ｔｘ３（第１電極Ｅ１）に対して順次第５の駆動信号Ｖｄ５（Ｔｘ１），Ｖｄ５（Ｔｘ２），Ｖｄ５（Ｔｘ３）を送信し、時分割処理を行う必要がある。
【０１２９】
実施形態１の変形例３に係るタッチ検出機能付き表示装置１において、例えば、図２１（ａ）に示す位置で表示領域１００が押圧された場合、第５の駆動信号Ｖｄ５（Ｔｘ１）の送信時には、受信電極Ｒｘ１−０，Ｒｘ２−１，Ｒｘ３−１において検出値｜ΔＶ｜が表れる。また、第５の駆動信号Ｖｄ５（Ｔｘ２）の送信時には、受信電極Ｒｘ１−０，Ｒｘ２−１，Ｒｘ３−１において検出値｜ΔＶ｜が表れる。また、第５の駆動信号Ｖｄ５（Ｔｘ３）の送信時には、受信電極Ｒｘ１−０において検出値｜ΔＶ｜が表れる。
【０１３０】
また、例えば、図２１（ｂ）に示す位置で表示領域１００が押圧された場合、第５の駆動信号Ｖｄ５（Ｔｘ１）の送信時には、受信電極Ｒｘ１−０，Ｒｘ２−１，Ｒｘ３−０において検出値｜ΔＶ｜が表れる。また、第５の駆動信号Ｖｄ５（Ｔｘ２）の送信時には、受信電極Ｒｘ１−０，Ｒｘ２−１，Ｒｘ３−０において検出値｜ΔＶ｜が表れる。また、第５の駆動信号Ｖｄ５（Ｔｘ３）の送信時には、受信電極Ｒｘ１−０において検出値｜ΔＶ｜が表れる。
【０１３１】
また、例えば、図２１（ｃ）に示す複数位置で表示領域１００が押圧された場合、第５の駆動信号Ｖｄ５（Ｔｘ１）の送信時には、受信電極Ｒｘ１−０，Ｒｘ２−１，Ｒｘ３−０において検出値｜ΔＶ｜が表れる。また、第５の駆動信号Ｖｄ５（Ｔｘ２）の送信時には、受信電極Ｒｘ１−０，Ｒｘ２−１，Ｒｘ３−０において検出値｜ΔＶ｜が表れる。また、第５の駆動信号Ｖｄ５（Ｔｘ３）の送信時には、受信電極Ｒｘ１−０，Ｒｘ１−１，Ｒｘ２−１，Ｒｘ３−１において検出値｜ΔＶ｜が表れる。
【０１３２】
実施形態１の変形例３に係るタッチ検出機能付き表示装置１においても、実施形態１、実施形態１の変形例１、及び実施形態１の変形例２と同様に、信号処理部４４が、時分割処理された各受信電極Ｒｘ１−０，Ｒｘ１−１，Ｒｘ２−０，Ｒｘ２−１，Ｒｘ３−０，Ｒｘ３−１における検出値｜ΔＶ｜を解析する構成としても良い。このようにすれば、上述した実施形態１、実施形態１の変形例１、及び実施形態１の変形例２よりも送信電極と受信電極との組み合わせが多く、第１のタッチ位置検出処理、第２のタッチ位置検出処理、第３のタッチ位置検出処理によって検出されたタッチ検出位置における押力を算出する際の信号処理部４４における処理は重くなるものの、各受信電極Ｒｘ１−０，Ｒｘ１−１，Ｒｘ２−０，Ｒｘ２−１，Ｒｘ３−０，Ｒｘ３−１における検出値｜ΔＶ｜を適切に解析することで、上述した実施形態１、実施形態１の変形例１、及び実施形態１の変形例２と同様に、押力が加えられてタッチ検出機能付き表示部１０が撓む領域が複数領域に跨る場合でも、表示領域１００の任意位置における押力の算出が可能となり、図２１（ｃ）に示すように、押力が加えられている位置が複数箇所存在する場合でも、表示領域１００の任意位置における押力の算出が可能となるが、以下の処理を行う構成とすることで、第１のタッチ位置検出処理、第２のタッチ位置検出処理、第３のタッチ位置検出処理によって検出されたタッチ検出位置における押力を算出する際の信号処理部４４における処理を軽減することができる。
【０１３３】
実施形態１の変形例３に係るタッチ検出機能付き表示装置１において、信号処理部４４は、時分割処理された各受信電極Ｒｘ１−０，Ｒｘ１−１，Ｒｘ２−０，Ｒｘ２−１，Ｒｘ３−０，Ｒｘ３−１における検出値｜ΔＶ｜を所定のしきい値電圧と比較し、このしきい値電圧未満であれば、判定結果を「０」とする。一方、信号処理部４４は、各受信電極Ｒｘ１−０，Ｒｘ１−１，Ｒｘ２−０，Ｒｘ２−１，Ｒｘ３−０，Ｒｘ３−１における検出値｜ΔＶ｜がしきい値電圧以上であれば、判定結果を「１」とする。そして、信号処理部４４は、時分割処理された各受信電極Ｒｘ１−０，Ｒｘ１−１，Ｒｘ２−０，Ｒｘ２−１，Ｒｘ３−０，Ｒｘ３−１毎の判定結果から、表示領域１００が押圧された位置（押力付与位置）を求める。
【０１３４】
このような処理を行うことで、押力を求める領域を、例えば、押力付与位置の周辺領域に縮小することができる。従って、信号処理部４４は、上述した第１のタッチ位置検出処理、第２のタッチ位置検出処理、第３のタッチ位置検出処理によって検出されたタッチ検出位置における押力を算出する際に、信号処理部４４における処理を軽減することができる。
【０１３５】
（実施形態２）
図２２は、実施形態２に係るタッチ検出機能付き表示装置の概略断面構造を表す断面図である。図２３は、実施形態２に係るタッチ検出機能付き表示装置の駆動電極と検出電極との配置例をタッチパネル表面に垂直な方向から見た平面図である。図２４は、実施形態２に係るタッチ検出機能付き表示装置における各電極の配置パターンの一例を示す図である。なお、上述した実施形態１で説明したものと同じ構成要素には同一の符号を付して重複する説明は省略する。また、実施形態２に係るタッチ検出機能付き表示装置の画素配列、実施形態２に係るタッチ検出機能付き表示装置の押力算出処理時における第１電極及び第２電極と検出部との電気的な接続状態、実施形態２に係るタッチ検出機能付き表示装置における各電極の配置パターンの具体的説明、及び実施形態２に係るタッチ検出機能付き表示装置における各電極の配置パターンにおける検出値並びにその具体例については、上述した実施形態１、実施形態１の変形例１、実施形態１の変形例２、及び実施形態１の変形例３と同様であるので、重複する説明は省略する。なお、図２３及び図２４に示す例では、３本の検出電極ＴＤＬが８本の駆動電極ＣＯＭＬに直交した例を示しているが、検出電極ＴＤＬの数及び駆動電極ＣＯＭＬの数はこれに限るものではない。
【０１３６】
図２２に示すように、実施形態２に係るタッチ検出機能付き表示装置１ａにおいて、浮遊電極５０は、対向基板３の下方、すなわちタッチ検出機能付き表示部１０ａの画像表示面側とは反対側の面に配置されている。この浮遊電極５０は、図３及び図６における第３電極Ｅ３に相当するものである。
【０１３７】
実施形態２では、タッチ検出機能付き表示部１０ａの画像表示面側から順に、検出電極ＴＤＬ、浮遊電極５０（第３電極Ｅ３）、駆動電極ＣＯＭＬの順に設けられている。また、浮遊電極５０（第３電極Ｅ３）は、駆動電極ＣＯＭＬとの間に液晶層６を介して設けられている。
【０１３８】
実施形態２では、上述した構成において、実施形態１と同様に、駆動電極ＣＯＭＬを図３及び図６に示す第１電極Ｅ１及び第２電極Ｅ２として機能させ、上述した第２の押力算出処理を行う。また、実施形態２では、上述したように、浮遊電極５０が図３及び図６に示す第３電極Ｅ３に相当する。すなわち、駆動電極ＣＯＭＬによる第１電極Ｅ１及び第２電極Ｅ２、浮遊電極５０による第３電極Ｅ３、及び、検出部４０における第２駆動ドライバ４１−２と第２検出部４２−２とを含み、実施形態２に係る検出装置を構成している。
【０１３９】
実施形態２では、画素基板２と対向基板３との間に設けた液晶層６によって、表示領域１００が押圧された結果対向基板３が撓み、駆動電極ＣＯＭＬ（第１電極Ｅ１及び第２電極Ｅ２）と浮遊電極５０（第３電極Ｅ３）との間の距離（間隔）ｄが変化する。この駆動電極ＣＯＭＬ（第１電極Ｅ１及び第２電極Ｅ２）と浮遊電極５０（第３電極Ｅ３）との間の距離（間隔）ｄが変化することによって生じる波形Ｖ0と波形Ｖ1との電圧差分の絶対値｜ΔＶ｜（図７参照）、すなわち、第１電極Ｅ１と第３電極Ｅ３とで構成される第１容量素子Ｃ１１と、第２電極Ｅ２と第３電極Ｅ３とで構成される第２容量素子Ｃ１２とが直列接続されて構成される合成容量素子Ｃ１の静電容量の変化に伴う出力信号の変化量を検出することで、実施形態１と同様に、表示領域１００への押力を算出することができる。
【０１４０】
また、実施形態２では、画素電極２２よりも上方、すなわちタッチ検出機能付き表示部１０の画像表示面側に浮遊電極５０（第３電極Ｅ３）が設けられている。このため、検出電極ＴＤＬと駆動電極ＣＯＭＬとの間の相互静電容量方式によってタッチ位置検出処理を行う第１のタッチ位置検出処理において、浮遊電極５０（第３電極Ｅ３）が第１電極Ｅ１（駆動電極ＣＯＭＬ）及び第２電極Ｅ２（検出電極ＴＤＬ）の間にあるフリンジ分の静電容量を遮らないように、浮遊電極５０（第３電極Ｅ３）は、図２４に示すように、画像表示面に対して垂直な方向に検出電極ＴＤＬと重なって設けられている。
【０１４１】
また、実施形態２における浮遊電極５０（第３電極Ｅ３）は、画素電極２２毎に設けられた各画素領域３３を隔てる遮光領域３４に沿ってメッシュ状の金属配線５２で構成される。
【０１４２】
浮遊電極５０（第３電極Ｅ３）を構成する金属配線は、アルミニウム（Ａｌ）、銅（Ｃｕ）、銀（Ａｇ）、モリブデン（Ｍｏ）又はこれらの合金の少なくとも１つの金属材料で形成される。また、金属配線は、これらの金属材料を１以上用いて、複数積層した積層体としてもよい。アルミニウム（Ａｌ）、銅（Ｃｕ）、銀（Ａｇ）、モリブデン（Ｍｏ）又はこれらの合金の少なくとも１つの金属材料は、透光性電極の材料としてＩＴＯ（Ｉｎｄｉｕｍ  Ｔｉｎ  Ｏｘｉｄｅ）等の透光性導電酸化物よりも低抵抗である。アルミニウム（Ａｌ）、銅（Ｃｕ）、銀（Ａｇ）又はこれらの合金の少なくとも１つの金属材料は、ＩＴＯ等の透光性導電酸化物に比較して遮光性があるため、透過率が低下する可能性又は浮遊電極５０（第３電極Ｅ３）のパターンが視認されてしまう可能性がある。実施形態２において、１つの浮遊電極５０（第３電極Ｅ３）が、複数の幅細の金属配線を有しており、金属配線が、線幅よりも大きい間隔を設けてメッシュ状に配置されることで、低抵抗化と、不可視化とを実現することができる。
【０１４３】
また、上述した遮光領域３４を構成する導電性の遮光膜（ブラックマトリックス等）５３で浮遊電極５０（第３電極Ｅ３）を構成しても良い。
【０１４４】
（実施形態３）
図２５は、実施形態３に係るタッチ検出機能付き表示装置の概略断面構造を表す断面図である。図２６は、実施形態３に係るタッチ検出機能付き表示装置の押力算出処理時における第１電極及び第２電極と検出部との電気的な接続状態の一例を示す図である。図２７は、実施形態３に係るタッチ検出機能付き表示装置における各電極の配置パターンの一例を示す図である。なお、上述した実施形態１及び実施形態２で説明したものと同じ構成要素には同一の符号を付して重複する説明は省略する。また、実施形態３に係るタッチ検出機能付き表示装置の画素配列、実施形態３に係るタッチ検出機能付き表示装置における各電極の配置パターンの具体的説明、及び実施形態３に係るタッチ検出機能付き表示装置における各電極の配置パターンにおける検出値並びにその具体例については、上述した実施形態１、実施形態１の変形例１、実施形態１の変形例２、実施形態１の変形例３、及び実施形態２と同様であるので、重複する説明は省略する。なお、図２７に示す例では、８本の検出電極ＴＤＬを有する例を示しているが、検出電極ＴＤＬの数はこれに限るものではない。
【０１４５】
図２５に示すように、実施形態３に係るタッチ検出機能付き表示装置１ｂにおいて、タッチ検出機能付き表示部１０ｂは、対向基板３の上方、すなわちタッチ検出機能付き表示部１０ｂの画像表示面側にカバーガラス９１が設けられている。浮遊電極５０は、このカバーガラス９１に設けられている。この浮遊電極５０は、図３及び図６における第３電極Ｅ３に相当するものである。
【０１４６】
実施形態３では、タッチ検出機能付き表示部１０ｂの画像表示面側から順に、浮遊電極５０（第３電極Ｅ３）、検出電極ＴＤＬ、駆動電極ＣＯＭＬの順に設けられている。また、浮遊電極５０（第３電極Ｅ３）は、検出電極ＴＤＬが設けられた対向基板３との間に間隙９２を介して設けられている。
【０１４７】
間隙９２は、例えば、空気層（エアギャップ）であっても良いし、絶縁性の光学用透明粘着シート（ＯＣＡ：Ｏｐｔｉｃａｌｌｙ  Ｃｌｅａｒ  Ａｄｈｅｓｉｖｅ）等の透光性を有する絶縁性の光学用透明粘着層であっても良い。
【０１４８】
浮遊電極５０（第３電極Ｅ３）は、例えば、ＩＴＯ（Ｉｎｄｉｕｍ  Ｔｉｎ  Ｏｘｉｄｅ）等の透光性を有する導電性材料が用いられる。
【０１４９】
実施形態３では、上述した構成において、実施形態１及び実施形態２とは異なり、検出電極ＴＤＬを図３及び図６に示す第１電極Ｅ１及び第２電極Ｅ２として機能させ、上述した第１の押力算出処理を行う。また、実施形態３では、上述したように、浮遊電極５０が図３及び図６に示す第３電極Ｅ３に相当する。すなわち、検出電極ＴＤＬによる第１電極Ｅ１及び第２電極Ｅ２、浮遊電極５０による第３電極Ｅ３、及び、検出部４０における第１駆動ドライバ４１−１と第１検出部４２−１とを含み、実施形態３に係る検出装置を構成している。
【０１５０】
実施形態３では、カバーガラス９１と対向基板３との間に設けた間隙９２によって、表示領域１００が押圧された結果として、カバーガラス９１が撓み、検出電極ＴＤＬ（第１電極Ｅ１及び第２電極Ｅ２）と浮遊電極５０（第３電極Ｅ３）との間の距離（間隔）ｄが変化する。この検出電極ＴＤＬ（第１電極Ｅ１及び第２電極Ｅ２）と浮遊電極５０（第３電極Ｅ３）との間の距離（間隔）ｄが変化することによって生じる波形Ｖ0と波形Ｖ1との電圧差分の絶対値｜ΔＶ｜、すなわち、第１電極Ｅ１と第３電極Ｅ３とで構成される第１容量素子Ｃ１１と、第２電極Ｅ２と第３電極Ｅ３とで構成される第２容量素子Ｃ１２とが直列接続されて構成される合成容量素子Ｃ１の静電容量の変化に伴う出力信号の変化量を検出することで、実施形態１及び実施形態２と同様に、表示領域１００への押力を算出することができる。
【０１５１】
また、実施形態３では、検出電極ＴＤＬよりも上方、すなわちタッチ検出機能付き表示部１０ｂの画像表示面側に浮遊電極５０（第３電極Ｅ３）が設けられている。このため、ＩＴＯ（Ｉｎｄｉｕｍ  Ｔｉｎ  Ｏｘｉｄｅ）等の透光性を有する導電性材料で構成された浮遊電極５０（第３電極Ｅ３）が視認される可能性がある。従って、図２７に示すように、表示領域１００内の浮遊電極５０（第３電極Ｅ３）が設けられていない領域は、浮遊電極５０（第３電極Ｅ３）と同様のＩＴＯ等の透光性を有する導電性材料で構成されたダミー電極５１が設けられているのが好ましい。なお、ダミー電極５１は、第１電極Ｅ１と第２電極Ｅ２とで合成容量素子Ｃ１を構成しないように、スリット５１ａが設けられている。
【０１５２】
図２６に示す例では、８本の検出電極ＴＤＬのうち、検出電極ＴＤＬの配列方向の両端に位置する検出電極ＴＤＬを第１電極Ｅ１とし、それ以外の検出電極ＴＤＬを第２電極Ｅ２としてタッチ検出時のそれぞれの役割を分けた例を示している。図２６に示す例では、上端の検出電極ＴＤＬから順に、第１電極Ｅ１としての送信電極Ｔｘ１、第２電極Ｅ２としての受信電極Ｒｘ１−１、受信電極Ｒｘ１−２、受信電極Ｒｘ１−３、受信電極Ｒｘ２−３、受信電極Ｒｘ２−２、受信電極Ｒｘ２−１、第１電極Ｅ１としての送信電極Ｔｘ２と称する。
【０１５３】
送信電極Ｔｘ１には、第１駆動ドライバ４１−１から第４の駆動信号Ｖｄ４（Ｔｘ１）が印加され、送信電極Ｔｘ２には、第１駆動ドライバ４１−１から第４の駆動信号Ｖｄ４（Ｔｘ２）が印加される。
【０１５４】
受信電極Ｒｘ１−１からは、第１検出部４２−１に第４の検出信号Ｖｄｅｔ４（Ｒｘ１−１）が出力され、受信電極Ｒｘ１−２からは、第１検出部４２−１に第４の検出信号Ｖｄｅｔ４（Ｒｘ１−２）が出力され、受信電極Ｒｘ１−３からは、第１検出部４２−１に第４の検出信号Ｖｄｅｔ４（Ｒｘ１−３）が出力され、受信電極Ｒｘ２−３からは、第１検出部４２−１に第４の検出信号Ｖｄｅｔ４（Ｒｘ２−３）が出力され、受信電極Ｒｘ２−２からは、第１検出部４２−１に第４の検出信号Ｖｄｅｔ４（Ｒｘ２−２）が出力され、受信電極Ｒｘ２−１からは、第１検出部４２−１に第４の検出信号Ｖｄｅｔ４（Ｒｘ２−１）が出力される。
【０１５５】
図２６に示す例では、上述した第１電極Ｅ１（送信電極Ｔｘ１，Ｔｘ２）及び第２電極Ｅ２（受信電極Ｒｘ１−１，Ｒｘ１−２，Ｒｘ１−３，Ｒｘ２−３，Ｒｘ２−２，Ｒｘ２−１）に対し、第３電極Ｅ３（浮遊電極５０ａ，５０ｂ，５０ｃ，５０ｄ，５０ｅ，５０ｆ）を対向配置した配列パターンの一例を示している。より具体的には、検出電極ＴＤＬ形成領域を上下２段、左右３列の６つの領域に分け、図２７の上段の右側の領域Ａにおいて、送信電極Ｔｘ１と受信電極Ｒｘ１−１とに跨って浮遊電極５０ａが配置されている。また、図２７の下段の右側の領域Ｂにおいて、送信電極Ｔｘ２と受信電極Ｒｘ２−１，Ｒｘ２−２，Ｒｘ２−３とに跨って浮遊電極５０ｂが配置されている。また、図２７の上段の中央の領域Ｃにおいて、送信電極Ｔｘ１と受信電極Ｒｘ１−１，Ｒｘ１−２とに跨って浮遊電極５０ｃが配置されている。また、図２７の下段の中央の領域Ｄにおいて、送信電極Ｔｘ２と受信電極Ｒｘ２−１，Ｒｘ２−２とに跨って浮遊電極５０ｄが配置されている。また、図２７の上段の左側の領域Ｅにおいて、送信電極Ｔｘ１と受信電極Ｒｘ１−１，Ｒｘ１−２，Ｒｘ１−３とに跨って浮遊電極５０ｅが配置されている。また、図２７の下段の左側の領域Ｆにおいて、送信電極Ｔｘ２と受信電極Ｒｘ２−１とに跨って浮遊電極５０ｆが配置されている。
【０１５６】
図２６及び図２７に示す構成において、第３電極Ｅ３（浮遊電極５０ａ，５０ｂ，５０ｃ，５０ｄ，５０ｅ，５０ｆ）を介して合成容量素子Ｃ１（図５参照）を構成する組み合わせは、上述した実施形態１と同様であるので、ここでは詳細な説明を省略する。
【０１５７】
タッチパネル３０は、受信電極Ｒｘ１−１から第４の検出信号Ｖｄｅｔ４（Ｒｘ１−１）を出力する。また、受信電極Ｒｘ１−２から第４の検出信号Ｖｄｅｔ４（Ｒｘ１−２）を出力する。また、受信電極Ｒｘ１−３から第４の検出信号Ｖｄｅｔ４（Ｒｘ１−３）を出力する。また、受信電極Ｒｘ２−１から第４の検出信号Ｖｄｅｔ４（Ｒｘ２−１）を出力する。また、受信電極Ｒｘ２−２から第４の検出信号Ｖｄｅｔ４（Ｒｘ２−２）を出力する。また、受信電極Ｒｘ２−３から第４の検出信号Ｖｄｅｔ４（Ｒｘ２−３）を出力する。これら第４の検出信号Ｖｄｅｔ４（Ｒｘ１−１），Ｖｄｅｔ４（Ｒｘ１−２），Ｖｄｅｔ４（Ｒｘ１−３），Ｖｄｅｔ４（Ｒｘ２−１），Ｖｄｅｔ４（Ｒｘ２−２），Ｖｄｅｔ４（Ｒｘ２−３）は、検出部４０の第１検出部４２−１に供給される。
【０１５８】
第１検出部４２−１は、タッチパネル３０から供給される第４の検出信号Ｖｄｅｔ４（Ｒｘ１−１），Ｖｄｅｔ４（Ｒｘ１−２），Ｖｄｅｔ４（Ｒｘ１−３），Ｖｄｅｔ４（Ｒｘ２−１），Ｖｄｅｔ４（Ｒｘ２−２），Ｖｄｅｔ４（Ｒｘ２−３）を増幅する。
【０１５９】
第１Ａ／Ｄ変換部４３−１は、第１検出部４２−１から入力された信号をＡ／Ｄ変換して、信号処理部４４に出力する。
【０１６０】
以降の処理は、実施形態１と同様である。すなわち、信号処理部４４は、各受信電極Ｒｘ１−１，Ｒｘ１−２，Ｒｘ１−３，Ｒｘ２−１，Ｒｘ２−２，Ｒｘ２−３における検出値｜ΔＶ｜を適切に解析することで、上述したように、押力が加えられてタッチ検出機能付き表示部１０ｂが撓む領域が複数領域に跨る場合や、押力が加えられている位置が複数箇所存在する場合でも、表示領域１００の任意位置における押力の算出が可能となる。
【０１６１】
従って、信号処理部４４は、上述した第１のタッチ位置検出処理、第２のタッチ位置検出処理、第３のタッチ位置検出処理によって検出されたタッチ検出位置における押力を適切に算出することができるようになる。
【０１６２】
なお、上述した実施形態では、送信電極Ｔｘ１（第１電極Ｅ１）に対し、３つの受信電極Ｒｘ１−１，Ｒｘ１−２，Ｒｘ１−３（第２電極Ｅ２）が並設され、送信電極Ｔｘ２（第１電極Ｅ１）に対し、３つの受信電極Ｒｘ２−１，Ｒｘ２−２，Ｒｘ２−３（第２電極Ｅ２）が並設されている例（図１０及び図１１、図１３及び図１４参照）、送信電極Ｔｘ１（第１電極Ｅ１）に対し、１つの受信電極Ｒｘ１（第２電極Ｅ２）が並設され、送信電極Ｔｘ２（第１電極Ｅ１）に対し、１つの受信電極Ｒｘ２（第２電極Ｅ２）が並設され、送信電極Ｔｘ３（第１電極Ｅ１）に対し、１つの受信電極Ｒｘ３（第２電極Ｅ２）が並設され、送信電極Ｔｘ４（第１電極Ｅ１）に対し、１つの受信電極Ｒｘ４（第２電極Ｅ２）が並設されている例（図１６及び図１７参照）、送信電極Ｔｘ１（第１電極Ｅ１）に対し、２つの受信電極Ｒｘ１−０，Ｒｘ１−１（第２電極Ｅ２）が並設され、送信電極Ｔｘ２（第１電極Ｅ１）に対し、２つの受信電極Ｒｘ２−０，Ｒｘ２−１（第２電極Ｅ２）が並設され、送信電極Ｔｘ３（第１電極Ｅ１）に対し、２つの受信電極Ｒｘ３−０，Ｒｘ３−１（第２電極Ｅ２）が並設されている例（図１９及び図２０照）について説明したが、第１電極Ｅ１及び第２電極Ｅ２の数や配置等は、上記に限るものではない。少なくとも第１電極Ｅ１あるいは第２電極Ｅ２の何れか一方を複数設けることで、第１電極Ｅ１及び第２電極Ｅ２の配列方向及び延在方向における押力の算出が可能となる。
【０１６３】
また、第１電極Ｅ１に並設する第２電極Ｅ２の数についても、１本（図１６及び図１７参照）、２本（図１９及び図２０参照）、３本（図１０及び図１１、図１３及び図１４参照）に限らず、１本の第１電極Ｅ１に対し、ｎ（ｎは自然数）本の第２電極Ｅ２を並設する構成であっても良い。
【０１６４】
また、上述した実施形態では、駆動電極ＣＯＭＬあるいは検出電極ＴＤＬの全てを第１電極Ｅ１あるいは第２電極Ｅ２に割り当てる例について説明したが、押力算出処理における要求精度によっては、駆動電極ＣＯＭＬあるいは検出電極ＴＤＬの一部を第１電極Ｅ１あるいは第２電極Ｅ２に割り当てる構成であっても良い。
【０１６５】
以上説明したように、実施形態に係る検出装置によれば、平行して設けられた第１電極Ｅ１及び第２電極Ｅ２に対し、第１電極Ｅ１及び第２電極Ｅ２に跨り間隔ｄを介して対向配置された第３電極Ｅ３（浮遊電極）を設け、第１電極Ｅ１と第３電極Ｅ３との間に構成される第１容量素子Ｃ１１と、第２電極Ｅ２と第３電極Ｅ３との間に構成される第２容量素子Ｃ１２とが接続されて構成された合成容量素子Ｃ１に対し、第１電極Ｅ１に駆動信号を印加して第２電極Ｅ２に現れる出力信号を検出し、第１電極Ｅ１及び第２電極Ｅ２と第３電極Ｅ３との間の間隔ｄの変化に応じた合成容量素子Ｃ１の静電容量の変化に伴う出力信号の変化量を検出することで、第１電極Ｅ１及び第２電極Ｅ２と第３電極Ｅ３との間の間隔ｄの変化レベルを算出することができる。
【０１６６】
すなわち、上述した検出装置をタッチ検出機能付き表示装置に適用し、駆動電極ＣＯＭＬあるいは検出電極ＴＤＬの一部あるいは全てを第１電極Ｅ１及び第２電極Ｅ２として機能させ、合成容量素子Ｃ１の静電容量の変化に伴う出力信号の変化量を検出することで、表示領域１００の任意位置における押力の算出が可能となり、第１のタッチ位置検出処理、第２のタッチ位置検出処理、第３のタッチ位置検出処理によって検出されたタッチ検出位置における押力を適切に算出することができる。
【０１６７】
本実施形態により、タッチ操作の検出位置における押力を適切に算出することができる検出装置、及びタッチ検出機能付き表示装置が得られる。
【０１６８】
以上、実施形態について説明したが、上述した内容により本発明が限定されるものではない。また、上述した本発明の構成要素には、当業者が容易に想定できるもの、実質的に同一のもの、いわゆる均等の範囲のものが含まれる。さらに、上述した構成要素は適宜組み合わせることが可能である。また、本発明の要旨を逸脱しない範囲で構成要素の種々の省略、置換及び変更を行うことができる。
【０１６９】
また、本発明は、以下の構成を取ることもできる。
【０１７０】
（１）
第１電極と、
前記第１電極に重ならない位置に設けられた第２電極と、
前記第１電極及び前記第２電極と間隔を介して対向配置された第３電極と、
前記第１電極に駆動信号を印加し、前記第２電極に現れる出力信号を検出する検出部と、
を備える
検出装置。
（２）
前記第１電極及び前記第２電極は、所定領域内の第１平面上に一方向に延びて設けられ、
前記第３電極は、前記第１平面と平行な第２平面上に前記第１電極及び前記第２電極に交差して設けられている
（１）の検出装置。
（３）
少なくとも前記第１電極あるいは前記第２電極の何れか一方を複数有する
（１）又は（２）の検出装置。
（４）
１の前記第１電極に対し、ｎ（ｎは自然数）の前記第２電極が並設されている
（３）の検出装置。
（５）
前記第１電極と前記第３電極とで構成される第１容量素子と、前記第２電極と前記第３電極とで構成される第２容量素子とが直列接続されて合成容量素子が構成され、
前記第２電極は、１の前記第１電極と共に前記合成容量素子を構成する
（４）の検出装置。
（６）
前記第１電極と前記第３電極とで構成される第１容量素子と、前記第２電極と前記第３電極とで構成される第２容量素子とが直列接続されて合成容量素子が構成され、
前記第２電極は、複数の前記第１電極と共に前記合成容量素子を構成する
（４）の検出装置。
（７）
一方向に延在する複数の電極パターンから構成され、表示領域内においてマトリックス状に複数配設された画素電極に共通の電位を与える駆動電極、及び、前記駆動電極の電極パターンの延在方向と交差する方向に延びる電極パターンから構成され、表示領域内におけるタッチ位置を検出する検出電極を有し、前記駆動電極と前記検出電極とを用いて前記表示領域内におけるタッチ操作の位置を検出するタッチ検出機能付き表示部を備えるタッチ検出機能付き表示装置であって、
（１）から（６）の何れか一つの検出装置を備え、
前記駆動電極あるいは前記検出電極の何れか一方は、前記第１電極及び前記第２電極として機能し、
前記検出装置は、
前記出力信号の変化量に応じて、前記タッチ操作の検出位置において前記タッチ検出機能付き表示部に加えられた押力を算出する
タッチ検出機能付き表示装置。
（８）
前記タッチ検出機能付き表示部は、
画像表示面側から順に、前記検出電極、前記駆動電極、前記第３電極の順に設けられ、
前記駆動電極は、前記第１電極及び前記第２電極として機能し、
前記第３電極は、
前記タッチ検出機能付き表示部との間に間隙を介して配置されるバックライト装置の画像表示面側とは反対側の面に設けられている
（７）のタッチ検出機能付き表示装置。
（９）
前記タッチ検出機能付き表示部は、
画像表示面側から順に、前記検出電極、前記第３電極、前記駆動電極の順に設けられ、
前記駆動電極は、前記第１電極及び前記第２電極として機能し、
前記第３電極は、
前記駆動電極との間に液晶層を介して設けられている
（７）のタッチ検出機能付き表示装置。
（１０）
前記第３電極は、
画像表示面に対して垂直な方向に前記検出電極と重なって設けられている
（９）のタッチ検出機能付き表示装置。
（１１）
前記第３電極は、
前記画素電極毎に設けられた各画素領域を隔てる遮光領域に沿って設けられている
（９）又は（１０）のタッチ検出機能付き表示装置。
（１２）
前記第３電極は、
メッシュ状の金属配線で構成されている
（１１）のタッチ検出機能付き表示装置。
（１３）
前記第３電極は、
前記画素電極毎に設けられた各画素領域を隔てる遮光領域を構成する導電性の遮光膜である
（９）又は（１０）のタッチ検出機能付き表示装置。
（１４）
前記タッチ検出機能付き表示部は、
画像表示面側から順に、前記第３電極、前記検出電極、前記駆動電極の順に設けられ、
前記検出電極は、前記第１電極及び前記第２電極として機能し、
前記第３電極は、
前記検出電極との間に間隙を介して設けられている
（７）のタッチ検出機能付き表示装置。
（１５）
前記間隙は、空気層である
（１４）のタッチ検出機能付き表示装置。
（１６）
前記間隙は、透光性を有する絶縁性の光学用透明粘着層である
（１４）のタッチ検出機能付き表示装置。
（１７）
前記第３電極は、
画像表示面を覆うカバーガラスに設けられている
（１４）から（１６）の何れか一つのタッチ検出機能付き表示装置。
（１８）
前記第３電極は、
透光性を有する導電性材料で構成されている
（１７）のタッチ検出機能付き表示装置。
（１９）
前記表示領域内の前記第３電極が設けられていない領域に透光性を有する導電性材料で構成されたダミー電極が設けられている
（１７）のタッチ検出機能付き表示装置。
【符号の説明】
【０１７１】
１，１ａ，１ｂ  タッチ検出機能付き表示装置
２  画素基板
３  対向基板
６  液晶層
８  バックライト装置
１０，１０ａ，１０ｂ  タッチ検出機能付き表示部
１１  制御部
１２  ゲートドライバ
１３  ソースドライバ
１４  駆動電極ドライバ
１８  タッチ検出用ＩＣ
１９  表示制御用ＩＣ
２０  表示パネル
２１  第１（ＴＦＴ）基板
２２  画素電極
２４  絶縁層
３０  タッチパネル
３１  第２（ガラス）基板
３２  カラーフィルタ
３３，３３Ｂ，３３Ｇ，３３Ｒ  画素領域
３４  遮光領域
４０  検出部
４１−１  第１駆動ドライバ
４１−２  第２駆動ドライバ
４２−１  第１検出部
４２−２  第２検出部
４３−１  第１Ａ／Ｄ変換部
４３−２  第２Ａ／Ｄ変換部
４４  信号処理部
４５  座標抽出部
４６  検出タイミング制御部
５０，５０ａ，５０ｂ，５０ｃ，５０ｄ，５０ｅ，５０ｆ  浮遊電極（第３電極）
５１  ダミー電極
５１ａ  スリット
５２  金属配線
５３  遮光膜（ブラックマトリックス）
８０  間隙
８１  バックライト
８２  反射フィルム
８３  光源（ＬＥＤ）
９０  ケース
９１  カバーガラス
９２  間隙
１００  表示領域
１４０  駆動信号スイッチ
Ｃ１  容量素子（合成容量素子）
Ｃ１１  容量素子（第１容量素子）
Ｃ１２  容量素子（第２容量素子）
ＣＯＭＬ  駆動電極（第１電極、第２電極）
Ｅ１  第１電極
Ｅ２  第２電極
Ｅ３  第３電極
ＧＣＬ  走査信号線
ＬＣ  液晶容量
Ｐｉｘ  画素
ＴＤＬ  検出電極（第１電極、第２電極）
Ｔｒ  ＴＦＴ素子
ＳＰｉｘ  副画素
ＳＧＬ  画素信号線
Ｖｃｏｍ  駆動信号
Ｖｄ１  第１の駆動信号
Ｖｄ２  第２の駆動信号
Ｖｄ３  第３の駆動信号
Ｖｄ４  第４の駆動信号
Ｖｄ５  第５の駆動信号
Ｖｄｅｔ１  第１の検出信号
Ｖｄｅｔ２  第２の検出信号
Ｖｄｅｔ３  第３の検出信号
Ｖｄｅｔ４  第４の検出信号
Ｖｄｅｔ５  第５の検出信号
Ｖｄｉｓｐ  映像信号
Ｖｐｉｘ  画素信号
Ｖｓｃａｎ  走査信号
【図１】
2018022445.tif 000003
【図２】
2018022445.tif 000004
【図３】
2018022445.tif 000005
【図４】
2018022445.tif 000006
【図５】
2018022445.tif 000007
【図６】
2018022445.tif 000008
【図７】
2018022445.tif 000009
【図８】
2018022445.tif 000010
【図９】
2018022445.tif 000011
【図１０】
2018022445.tif 000012
【図１１】
2018022445.tif 000013
【図１２】
2018022445.tif 000014
【図１３】
2018022445.tif 000015
【図１４】
2018022445.tif 000016
【図１５】
2018022445.tif 000017
【図１６】
2018022445.tif 000018
【図１７】
2018022445.tif 000019
【図１８】
2018022445.tif 000020
【図１９】
2018022445.tif 000021
【図２０】
2018022445.tif 000022
【図２１】
2018022445.tif 000023
【図２２】
2018022445.tif 000024
【図２３】
2018022445.tif 000025
【図２４】
2018022445.tif 000026
【図２５】
2018022445.tif 000027
【図２６】
2018022445.tif 000028
【図２７】
2018022445.tif 000029